(57)【要約】【課題】本発明は、事務的で無味乾燥であった電子メールシステムを大きく変え、従来は、余り考慮されなかった差出人の気持や感情などをより正確に伝達できる、人間味豊かな電子郵便システムを提供する。【解決手段】絵柄、模様付き封筒及び絵柄、模様付き便箋を含め、はがき、カード、箱等に文字を書き入れ、切手を貼って送り、受取人側は、それを受取るという通常の生活の中での封書、はがき、カード、箱等のやりとりと同じプロセスをパソコン、携帯端末、携帯電話、タプレツトＰＣ等で再現する。【選択図】図９
2005057604.tif 000002
【特許請求の範囲】
【請求項１】
サーバーと、少なくとも第１クライアント及び第２クライアントとが電子通信回線を介して接続される電子情報伝送システムであって、
第１クライアントからサーバーを介して第２クライアントに電子情報を送信するに際して、第１クライアントにおいて、複数のキャリアーから所望のキヤリアーを選定し、該選定されたキヤリアーを表示し、該表示されたキヤリアーに必要なデータを入力し、かつ送信し、第２クライアント側において、第１クライアントから送信されたキャリアーを受信するようにしたことを特徴とする電子情報伝送システム。
【請求項２】
サーバーと、少なくとも第１クライアント及び第２クライアントとが電子通信回線を介して接続される電子情報伝送システムであって、
第１クライアントからサーバーを介して第２クライアントに電子情報を送信するに際して、第１クライアントにおいて、複数のキャリアーから所望のキヤリアーを選定し、該選定されたキヤリアーを表示し、該表示されたキヤリアーに必要なデータを入力するとともに必要な添付ファイルを添付し、かつ送信し、第２クライアント側において、第１クライアントから送信されたキャリアーを受信するようにしたことを特徴とする電子情報伝送システム。
【請求項３】
サーバーと、少なくとも第１クライアント及び第２クライアントとが電子通信回線を介して接続される電子情報伝送システムであって、
第１クライアントからサーバーを介して第２クライアントに電子情報データを送信するに際して、第１クライアントにおいて、複数のキャリアーから所望のキヤリアーを選定し、該選定されたキヤリアーを表示し、該表示されたキヤリアーに必要な電子情報データを入力し、かつ送信し、第２クライアント側において、第１クライアントから送信されたキャリアーを受信するようにしたことを特徴とする電子情報伝送システム。
【請求項４】
サーバーと、少なくとも第１クライアント及び第２クライアントとが電子通信回線を介して接続される電子情報伝送システムであって、
第１クライアントからサーバーを介して第２クライアントに電子情報データを送信するに際して、第１クライアントにおいて、複数のキャリアーから所望のキヤリアーを選定し、該選定されたキヤリアーを表示し、該表示されたキヤリアーに必要な電子情報データを入力するとともに必要な添付フアイルを添付し、かつ送信し、２クライアント側において、第１クライアントから送信されたキャリアーを受信するようにしたことを特徴とする電子情報伝送システム。
【請求項５】
サーバーと、少なくとも第１クライアント及び第２クライアントとが電子通信回線を介して接続される電子情報伝送システムであって、
第１クライアントからサーバーを介して第２クライアントにメッセージ情報データを送信するに際して、第１クライアントにおいて、複数のキャリアーから所望のキヤリアーを選定し、該選定されたキヤリアーを表示し、該表示されたキヤリアーに必要なデータを入力し、かつ送信し、第２クライアント側において、第１クライアントから送信されたキャリアーを受信し、出力印刷するようにしたことを特徴とする電子情報伝送システム。
【請求項６】
サーバーと、少なくとも第１クライアント及び第２クライアントとが電子通信回線を介して接続される電子情報伝送システムであって、
第１クライアントからサーバーを介して第２クライアントにメッセージ情報データを送信するに際して、第１クライアントにおいて、複数のキャリアーから所望のキヤリアーを選定し、該選定されたキヤリアーを表示し、該表示されたキヤリアーに必要なデータを入力し、かつ送信し、第２クライアント側において、第１クライアントから送信されたキャリアーを受信し、出力印刷するようにした電子情報伝送システムにおいて、第１クライアントからサーバーを介して第２クライアントに電子情報を送信するに際して、第１クライアントにおいて、複数のキャリアーから所望のキヤリアーを選定し、該選定されたキヤリアーを表示し、該表示されたキヤリアーに必要なデータを入力し、かつ送信するようにしたことを特徴とする電子情報送信装置。
【請求項７】
サーバーと、少なくとも第１クライアント及び第２クライアントとが電子通信回線を介して接続される電子情報伝送システムであって、
第１クライアントからサーバーを介して第２クライアントにメセージ情報データを送信するに際して、第１クライアントにおいて、複数のキャリアーから所望のキヤリアーを選定し、該選定されたキヤリアーを表示し、該表示されたキヤリアーに必要なデータを入力し、かつ送信し、第２クライアント側において、第１クライアントから送信されたキャリアーを受信し、出力印刷するようにした電子情報伝送システムにおいて、
第２クライアント側において、第１クライアントから送信されたキャリアーを受信し、出力印刷するようにしたことを特徴とする電子情報受信装置。
【請求項８】
サーバーと、少なくとも第１クライアント及び第２クライアントとが電子通信回線を介して接続される電子情報伝送システムであって、
第１クライアントからサーバーを介して第２クライアントに電子情報データを送信するに際して、第１クライアントにおいて、複数のキャリアーから所望のキヤリアーを選定し、該選定されたキヤリアーを表示し、該表示されたキヤリアーに必要なデータを入力するとともに必要な添付ファイルを添付し、かつ送信し、第２クライアント側において、第１クライアントから送信されたキャリアーを受信し、出力印刷するようにしたことを特徴とする電子情報伝送システム。
【請求項９】
前記キャリアーが封筒、便箋、はがき、絵はがき、カード、箱の様式イメージ情報グループから選択されることを特徴とする前記請求項１，２，３，４，５，８の何れか１項記載の電子情報伝送システム。
【請求項１０】
前記キャリアーが封筒、便箋、はがき、絵はがき、カード、箱の様式イメージ情報グループから選択されることを特徴とする前記請求項６記載の電子情報送信装置。
である
【請求項１１】
前記キャリアーが封筒、便箋、はがき、絵はがき、カード、箱の様式イメージ情報グループから選択されることを特徴とする前記請求項７記載の電子情報受信装置。
【請求項１２】
メールサーバーと、少なくとも第１クライアント及び第２クライアントとが電子通信回線を介して接続されている電子郵便システムにおいて、
第１クライアントからメールサーバーを介して第２クライアントに電子郵便を送信するに際して、第１クライアント側において、封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒、便箋、はがき、カード、絵はがき又は箱等の様式イメージデータを含む受信フォームにより、前記必要な添付情報データとともに前記メッセージ情報データを受信し、該受信情報データを第２クライアントの必要に応じて出力印刷させるようにしたことを特徴とする電子郵便システム。
【請求項１３】
メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒、便箋、はがき、カード、絵はがき又は箱等の様式イメージデータを含む受信フォームにより、前記必要な添付情報データとともに前記メッセージ情報データを受信し、該受信情報データを第２クライアントの必要に応じて出力印刷させるようにした電子郵便システムにおいて、
第１クライアント側において、封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、必要な場合には、写真情報データ、動画情報データ及び／又は音声情報データを添付情報データとして添付して、該必要な添付情報データとともに前記メッセージ情報データを送信することを特徴とする電子郵便送信装置。
【請求項１４】
メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒、便箋、はがき、カード、絵はがき又は箱等の様式イメージデータを含む受信フォームにより、前記必要な添付情報データとともに前記メッセージ情報データを受信し、該受信情報データを第２クライアントの必要に応じて出力印刷させるようにした電子郵便システムおいて、
第１クライアントからメールサーバーを介して第２クライアントに電子郵便を送信するに際して、第２クライアント側において、第１クライアント側で予め選定された封筒、便箋、はがき、カード、絵はがき又は箱等の様式イメージデータを含む受信フォームにより、前記必要な添付情報データとともに前記メッセージ情報データを受信し、該受信情報データを第２クライアントの必要に応じて出力印刷させるようにしたことを特徴とする電子郵便受信装置。
【請求項１５】
メールサーバーと、少なくとも第１クライアント及び第２クライアントとが電子通信回線を介して接続されている電子郵便システムにおいて、
第１クライアントからメールサーバーを介して第２クライアントに電子郵便を送信するに際して、第１クライアント側において、封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒、便箋、はがき、カード、絵はがき又は箱等の様式イメージデータを含む受信フォームにより、前記必要な添付情報データとともに前記メッセージ情報データを受信し、該受信情報データを第２クライアントの必要に応じて、変更可能な印刷設定条件下で、出力印刷させるようにしたことを特徴とする電子郵便システム。
【請求項１６】
メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒、便箋、はがき、カード、絵はがき又は箱等の様式イメージデータを含む受信フォームにより、前記必要な添付情報データとともに前記メッセージ情報データを受信し、該受信情報データを第２クライアントの必要に応じて、変更可能な印刷設定条件下で、出力印刷させるようにした電子郵便システムにおいて、
第１クライアントからメールサーバーを介して第２クライアントに電子郵便を送信するに際して、第１クライアント側において、封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、必要な場合には、写真情報データ、動画情報データ及び／又は音声情報データを添付情報データとして添付して、該必要な添付情報データとともに前記メッセージ情報データを送信するようにしたことを特徴とする電子郵便送信装置。
【請求項１７】
メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒、便箋、はがき、カード、絵はがき又は箱等の様式イメージデータを含む受信フォームにより、前記必要な添付情報データとともに前記メッセージ情報データを受信し、該受信情報データを第２クライアントの必要に応じて、変更可能な印刷設定条件下で、出力印刷させるようにした電子郵便システムにおいて、第２クライアント側において、
第１クライアント側で予め選定された封筒、便箋、はがき、カード、絵はがき又は箱等の様式イメージデータを含む受信フォームにより、前記必要な添付情報データとともに前記メッセージ情報データを受信し、該受信情報データを第２クライアントの必要に応じて、変更可能な印刷設定条件下で、出力印刷させるようにしたことを特徴とする電子郵便受信装置。
【請求項１８】
メールサーバーと、少なくとも第１クライアント及び第２クライアントとが電子通信回線を介して接続されている電子郵便システムにおいて、
第１クライアントからメールサーバーを介して第２クライアントに電子郵便を送信するに際して、第１クライアント側において、封筒作成フォーマットを含む封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒の様式イメージデータを含む受信フォームにより、前記必要な添付情報データとともに前記メッセージ情報データを受信し、封筒作成フォーマットを出力印刷させるようにしたことを特徴とする電子郵便システム。
【請求項１９】
メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒作成フォーマットを含む封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒の様式イメージデータを含む受信フォームにより、前記必要な添付情報データとともに前記メッセージ情報データを受信し、封筒作成フォーマットを出力印刷させるようにした電子郵便システムにおいて、
第１クライアントからメールサーバーを介して第２クライアントに電子郵便を送信するに際して、第１クライアント側において、封筒作成フォーマットを含む封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、必要な場合には、写真情報データ、動画情報データ及び／又は音声情報データを添付情報データとして添付して、該必要な添付情報データとともに前記メッセージ情報データを送信するようにしたことを特徴とする電子郵便送信装置。
【請求項２０】
メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒作成フォーマットを含む封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒の様式イメージデータを含む受信フォームにより、前記必要な添付情報データとともに前記メッセージ情報データを受信し、封筒作成フォーマットを出力印刷させるようにした電子郵便システムにおいて、
第２クライアント側において、第１クライアント側で予め選定された封筒の様式イメージデータを含む受信フォームにより、前記必要な添付情報データとともに前記メッセージ情報データを受信し、封筒作成フォーマットを出力印刷させるようにしたことを特徴とする電子郵便受信装置。
【請求項２１】
メールサーバーと、少なくとも第１クライアント及び第２クライアントとが電子通信回線を介して接続されている電子郵便システムにおいて、
第１クライアントからメールサーバーを介して第２クライアントに電子郵便を送信するに際して、第１クライアント側において、封筒作成フォーマットを含む封筒及び絵柄又は模様を付した便箋の様式イメージ情報を含む送信フォームから所望の送信フォームを選定し、選定した封筒及び便箋の送信フォームを表示し、該表示した送信フォームに第１クライアントに対応する差出人の氏名及び住所、第２クライアントの送信先の宛名及び住所並びに所望のメッセージ情報データを入力し、該送信フォームを送信し、第２クライアント側において、第１クライアント側で予め選定された封筒の様式イメージデータを含む受信フォームにより、前記メッセージ情報データを受信すると共に、封筒作成フォーマットを出力印刷させ、封筒を作成し、該封筒に前記便箋を封入するようにしたことを特徴とする電子郵便システム。
【請求項２２】
メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒作成フォーマットを含む封筒及び絵柄又は模様を付した便箋の様式イメージ情報を含む送信フォームから所望の送信フォームを選定し、選定した封筒及び便箋の送信フォームを表示し、該表示した送信フォームに第１クライアントに対応する差出人の氏名及び住所、第２クライアントの送信先の宛名及び住所並びに所望のメッセージ情報データを入力し、該送信フォームを送信し、第２クライアント側において、第１クライアント側で予め選定された封筒の様式イメージデータを含む受信フォームにより、前記メッセージ情報データを受信すると共に、封筒作成フォーマットを出力印刷させ、封筒を作成し、該封筒に前記便箋を封入するようにした電子郵便システムにおいて、
第１クライアントからメールサーバーを介して第２クライアントに電子郵便を送信するに際して、第１クライアント側において、封筒作成フォーマットを含む封筒及び絵柄又は模様を付した便箋の様式イメージ情報を含む送信フォームから所望の送信フォームを選定し、選定した封筒及び便箋の送信フォームを表示し、該表示した送信フォームに第１クライアントに対応する差出人の氏名及び住所、第２クライアントの送信先の宛名及び住所並びに所望のメッセージ情報データを入力し、該送信フォームを送信するようにしたことを特徴とする電子郵便送信装置。
【請求項２３】
メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒作成フォーマットを含む封筒及び絵柄又は模様を付した便箋の様式イメージ情報を含む送信フォームから所望の送信フォームを選定し、選定した封筒及び便箋の送信フォームを表示し、該表示した送信フォームに第１クライアントに対応する差出人の氏名及び住所、第２クライアントの送信先の宛名及び住所並びに所望のメッセージ情報データを入力し、該送信フォームを送信し、第２クライアント側において、第１クライアント側で予め選定された封筒の様式イメージデータを含む受信フォームにより、前記メッセージ情報データを受信すると共に、封筒作成フォーマットを出力印刷させ、封筒を作成し、該封筒に前記便箋を封入するようにした電子郵便システムにおいて、
第２クライアント側において、第１クライアント側で予め選定された封筒の様式イメージデータを含む受信フォームにより、前記メッセージ情報データを受信すると共に、封筒作成フォーマットを出力印刷させ、封筒を作成し、該封筒に前記便箋を封入するようにしたことを特徴とする電子郵便受信装置。
【請求項２４】
メールサーバーと、少なくとも第１クライアント及び第２クライアントとが電子通信回線を介して接続されている電子郵便システムにおいて、
第１クライアントからメールサーバーを介して第２クライアントに電子郵便を送信するに際して、第１クライアント側において、封筒作成フォーマットを含む絵柄又は模様を付した封筒及び絵柄又は模様を付した便箋の様式イメージ情報を含む送信フォームから所望の送信フォームを選定し、選定した封筒及び便箋の送信フォームを表示し、該表示した送信フォームに第１クライアントに対応する差出人の氏名及び住所、第２クライアントの送信先の宛名及び住所並びに所望のメッセージ情報データを入力し、該送信フォームを送信し、第２クライアント側において、第１クライアント側で予め選定された封筒及び便箋の様式イメージデータを含む受信フォームにより、前記メッセージ情報データを受信すると共に、封筒作成フォーマットを出力印刷させ、封筒を作成し、該封筒に前記便箋を封入するようにしたことを特徴とする電子郵便システム。
【請求項２５】
メールサーバーと、少なくとも第１クライアント及び第２クライアントとが電子通信回線を介して接続されている電子郵便システムにおいて、
第１クライアントからメールサーバーを介して第２クライアントに電子郵便を送信するに際して、第１クライアント側において、封筒作成フォーマットを含む絵柄又は模様を付した封筒及び絵柄又は模様を付した便箋の様式イメージ情報を含む送信フォームから所望の送信フォームを選定し、選定した封筒及び便箋の送信フォームを表示し、該表示した送信フォームに第１クライアントに対応する差出人の氏名及び住所、第２クライアントの送信先の宛名及び住所並びに所望のメッセージ情報データを入力し、該送信フォームを送信し、第２クライアント側において、第１クライアント側で予め選定された封筒及び便箋の様式イメージデータを含む受信フォームにより、前記メッセージ情報データを受信すると共に、封筒作成フォーマットを出力印刷させ、封筒を作成し、該封筒に前記便箋を封入するようにした電子郵便システムにおいて、
第１クライアントからメールサーバーを介して第２クライアントに電子郵便を送信するに際して、第１クライアント側において、封筒作成フォーマットを含む絵柄又は模様を付した封筒及び絵柄又は模様を付した便箋の様式イメージ情報を含む送信フォームから所望の送信フォームを選定し、選定した封筒及び便箋の送信フォームを表示し、該表示した送信フォームに第１クライアントに対応する差出人の氏名及び住所、第２クライアントの送信先の宛名及び住所並びに所望のメッセージ情報データを入力し、該送信フォームを送信することを特徴とする電子郵便送信装置。
【請求項２６】
メールサーバーと、少なくとも第１クライアント及び第２クライアントとが電子通信回線を介して接続されている電子郵便システムにおいて、
第１クライアントからメールサーバーを介して第２クライアントに電子郵便を送信するに際して、第１クライアント側において、封筒作成フォーマットを含む絵柄又は模様を付した封筒及び絵柄又は模様を付した便箋の様式イメージ情報を含む送信フォームから所望の送信フォームを選定し、選定した封筒及び便箋の送信フォームを表示し、該表示した送信フォームに第１クライアントに対応する差出人の氏名及び住所、第２クライアントの送信先の宛名及び住所並びに所望のメッセージ情報データを入力し、該送信フォームを送信し、第２クライアント側において、第１クライアント側で予め選定された封筒及び便箋の様式イメージデータを含む受信フォームにより、前記メッセージ情報データを受信すると共に、封筒作成フォーマットを出力印刷させ、封筒を作成し、該封筒に前記便箋を封入するようにした電子郵便システムにおいて、
第２クライアント側において、第１クライアント側で予め選定された封筒及び便箋の様式イメージデータを含む受信フォームにより、前記メッセージ情報データを受信すると共に、封筒作成フォーマットを出力印刷させ、封筒を作成し、該封筒に前記便箋を封入するようにしたことを特徴とする電子郵便受信装置。
【請求項２７】
メールサーバーと、少なくとも第１クライアント及び第２クライアントとが電子通信回線を介して接続されている電子郵便システムにおいて、
第１クライアントからメールサーバーを介して第２クライアントに電子郵便を送信するに際して、第１クライアント側において、封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、切手を表示し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒、便箋、はがき、カード、絵はがき又は箱等の様式イメージデータを含む受信フォームにより、前記必要な添付情報データとともに、切手を含む前記メッセージ情報データを受信し、該受信情報データを第２クライアントの必要に応じて、変更可能な印刷設定条件下で、出力印刷させるようにしたことを特徴とする電子郵便システム。
【請求項２８】
メールサーバーと、少なくとも第１クライアント及び第２クライアントとが電子通信回線を介して接続されている電子郵便システムにおいて、
第１クライアントからメールサーバーを介して第２クライアントに電子郵便を送信するに際して、第１クライアント側において、封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、切手を表示し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒、便箋、はがき、カード、絵はがき又は箱等の様式イメージデータを含む受信フォームにより、前記必要な添付情報データとともに、切手を含む前記メッセージ情報データを受信し、該受信情報データを第２クライアントの必要に応じて、変更可能な印刷設定条件下で、出力印刷させるようにした電子郵便システムにおいて、第１クライアントからメールサーバーを介して第２クライアントに電子郵便を送信するに際して、第１クライアント側において、封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、切手を表示し、必要な場合には、写真情報データ、動画情報データ及び／又は音声情報データを添付情報データとして添付して、該必要な添付情報データとともに前記メッセージ情報データを送信することを特徴とする電子郵便送信装置。
【請求項２９】
メールサーバーと、少なくとも第１クライアント及び第２クライアントとが電子通信回線を介して接続されている電子郵便システムにおいて、
第１クライアントからメールサーバーを介して第２クライアントに電子郵便を送信するに際して、第１クライアント側において、封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、切手を表示し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒、便箋、はがき、カード、絵はがき又は箱等の様式イメージデータを含む受信フォームにより、前記必要な添付情報データとともに、切手を含む前記メッセージ情報データを受信し、該受信情報データを第２クライアントの必要に応じて、変更可能な印刷設定条件下で、出力印刷させるようにした電子郵便システムにおいて、第２クライアント側において、第１クライアント側で予め選定された封筒、便箋、はがき、カード、絵はがき又は箱等の様式イメージデータを含む受信フォームにより、前記必要な添付情報データとともに、切手を含む前記メッセージ情報データを受信し、該受信情報データを第２クライアントの必要に応じて、変更可能な印刷設定条件下で、出力印刷させるようにしたことを特徴とする電子郵便受信装置。
【請求項３０】
メールサーバーと、少なくとも第１クライアント及び第２クライアントとが電子通信回線を介して接続されている電子郵便システムにおいて、
第１クライアントからメールサーバーを介して第２クライアントに電子郵便を送信するに際して、第１クライアント側において、封筒作成フォーマットを含む封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、切手を表示し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒、便箋、はがき、カード、絵はがき又は箱等の様式イメージデータを含む受信フォームにより、前記必要な添付情報データとともに、切手を含む前記メッセージ情報データを受信し、封筒作成フォーマットを出力印刷させるようにしたことを特徴とする電子郵便システム。
【請求項３１】
メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒作成フォーマットを含む封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、切手を表示し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒、便箋、はがき、カード、絵はがき又は箱等の様式イメージデータを含む受信フォームにより、前記必要な添付情報データとともに、切手を含む前記メッセージ情報データを受信し、封筒作成フォーマットを出力印刷させるようにした電子郵便システムにおいて、
第１クライアントからメールサーバーを介して第２クライアントに電子郵便を送信するに際して、第１クライアント側において、封筒作成フォーマットを含む封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、切手を表示し、必要な場合には、写真情報データ、動画情報データ及び／又は音声情報データを添付情報データとして添付して、該必要な添付情報データとともに前記メッセージ情報データを送信するようにしたことを特徴とする電子郵便送信装置。
【請求項３２】
メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒作成フォーマットを含む封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、切手を表示し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒、便箋、はがき、カード、絵はがき又は箱等の様式イメージデータを含む受信フォームにより、前記必要な添付情報データとともに、切手を含む前記メッセージ情報データを受信し、封筒作成フォーマットを出力印刷させるようにした電子郵便システムにおいて、
第２クライアント側において、第１クライアント側で予め選定された封筒、便箋、はがき、カード、絵はがき又は箱等の様式イメージデータを含む受信フォームにより、前記必要な添付情報データとともに、切手を含む前記メッセージ情報データを受信し、封筒作成フォーマットを出力印刷させるようにしたことを特徴とする電子郵便受信装置。
【発明の詳細な説明】
【技術分野】
【０００１】
本発明は、電子通信回線を利用した電子情報伝達システムに関するものである。特に、電子郵便システム、電子郵便送信装置、電子郵便受信装置に関するものである。
【背景技術】
【０００２】
今日、電気通信回線を利用した情報伝達システム、すなわち電子郵便システムは、社会生活はもとより、日常生活においても、必要不可欠なコミュニケーションツールとなっている。さらにそのシステムも未だ、不十分な点が多々ある。
【発明の開示】
【発明が解決しようとする課題】
【０００３】
現在一般に使われている電子メールの文面は、白いスペースに文字を並べただけの無味乾燥なものである。また、文字列と文字列の問の空白（行間）も少ないうえに、それが固定されているため大変に読みにくく、新聞、雑誌、書籍などに比べると、文章の判読効率が低いメディアである。
【０００４】
電子メールが開発された当初は、通信能力が低く、少量のテキストデータを１対１で送受信するのが精一杯であった。その後、インターネットの出現により、多点間での情報の送受信が可能になったものの、依然通信能力が低いために、送付できる情報は一定量のテキストデータに制限されていた。
また開発当時の利用者が、科学者や技術者をはじめとする専門家であったことから、電子メールにテキストデータをやりとりする機能以上のものを特に求めなかった。今日では、電子メールは、日常生活やビジネスにおいて、今や必要不可欠なツールとなり、多くの人々が電子メールを利用するようになり、また、ブロードバンド時代の到来により、通信能力による制限も解決されつつある。このような変化にもかかわらず、電子メールの表示スタイルは開発当初のままである。
【課題を解決するための手段】
【０００５】
本発明は、はがき、カード（誕生カードや各種グリーティングカード等）等に文字を書き入れ、カードの場合は封筒に入れ、切手を貼って送り、受け取った側は、その読みやすい文面を読むという、通常の生活の中での封書、はがき、カードのやりとりと同じプロセスをパソコンや携帯端末、携帯電話、タプレツトＰＣ等で再現する新しい電子郵便システムを提供することである。これによって、より豊かなコミュニケーションを実現することが出来る。また同時に、そのためのコンテンツを売買するビジネスモデルも実現することができる。
【０００６】
本発明は、以下のような各要素によって構成されている。
（１）パソコンや携帯端末、携帯電話、タプレツトＰＣ等の機器を使用して、電子便箋、電子はがき、電子カードに文字や絵を書き込み、必要に応じて折り畳んだり、電子封筒に入れるなどして、電子切手を貼り、通信回線を利用してそれを送付することが出来ると同時に、パソコンや携帯端末、携帯電話、タプレツトＰＣ等の機器で受信して、電子はがき、電子カード、電子カードを入れた電子封筒、その収納した電子はがき、電子カード、電子封筒を表示することのできると共に、封筒を作成するためのソフトなど。
（２）様々な背景色、絵柄、模様、写真、イラスト、ロゴマーク、罫線などによって構成されている便箋、はがき、絵はがき、カードなど。
（３）様々な背景色、デザイン、写真、イラスト、ロゴマーク、罫線などによって構成されている封筒。
（４）種々のモデルを収納する箱。
（５）はがきや封筒に貼ることのできる各種デザインの切手。または、はがきに付いている各種絵柄、模様の切手。
（６）上記に関連するソフト、はがき、絵はがき、カード、封筒、箱、切手等を有償、無償で配布し、これらのツールを利用してコミュニケーションを図る人々が集うことができるサーバー上のサイトなど。
【０００７】
本発明は、電子情報伝送システムにおいて、サーバーと、少なくとも第１クライアント及び第２クライアントとが電子通信回線を介して接続される電子情報伝送システムであって、第１クライアントからサーバーを介して第２クライアントに電子情報を送信するに際して、第１クライアントにおいて、複数のキャリアーから所望のキヤリアーを選定し、該選定されたキヤリアーを表示し、該表示されたキヤリアーに必要なデータを入力し、かつ送信し、第２クライアント側において、第１クライアントから送信されたキャリアーを受信するようにしたことを特徴とする。
本発明は、電子情報伝送システムにおいて、サーバーと、少なくとも第１クライアント及び第２クライアントとが電子通信回線を介して接続される電子情報伝送システムであって、第１クライアントからサーバーを介して第２クライアントに電子情報を送信するに際して、第１クライアントにおいて、複数のキャリアーから所望のキヤリアーを選定し、該選定されたキヤリアーを表示し、該表示されたキヤリアーに必要なデータを入力するとともに必要な添付ファイルを添付し、かつ送信し、第２クライアント側において、第１クライアントから送信されたキャリアーを受信するようにしたことを特徴とする。
本発明は、電子情報伝送システムにおいて、サーバーと、少なくとも第１クライアント及び第２クライアントとが電子通信回線を介して接続される電子情報伝送システムであって、第１クライアントからサーバーを介して第２クライアントに電子情報データを送信するに際して、第１クライアントにおいて、複数のキャリアーから所望のキヤリアーを選定し、該選定されたキヤリアーを表示し、該表示されたキヤリアーに必要な電子情報データを入力し、かつ送信し、第２クライアント側において、第１クライアントから送信されたキャリアーを受信するようにしたことを特徴とする。
本発明は、電子情報伝送システムにおいて、サーバーと、少なくとも第１クライアント及び第２クライアントとが電子通信回線を介して接続される電子情報伝送システムであって、第１クライアントからサーバーを介して第２クライアントに電子情報データを送信するに際して、第１クライアントにおいて、複数のキャリアーから所望のキヤリアーを選定し、該選定されたキヤリアーを表示し、該表示されたキヤリアーに必要な電子情報データを入力するとともに必要な添付フアイルを添付し、かつ送信し、２クライアント側において、第１クライアントから送信されたキャリアーを受信するようにしたことを特徴とする。
本発明は、電子情報伝送システムにおいて、サーバーと、少なくとも第１クライアント及び第２クライアントとが電子通信回線を介して接続される電子情報伝送システムであって、第１クライアントからサーバーを介して第２クライアントにメッセージ情報データを送信するに際して、第１クライアントにおいて、複数のキャリアーから所望のキヤリアーを選定し、該選定されたキヤリアーを表示し、該表示されたキヤリアーに必要なデータを入力し、かつ送信し、第２クライアント側において、第１クライアントから送信されたキャリアーを受信し、出力印刷するようにしたことを特徴とする。
【０００８】
本発明は、電子情報送信装置において、サーバーと、少なくとも第１クライアント及び第２クライアントとが電子通信回線を介して接続される電子情報伝送システムであって、
第１クライアントからサーバーを介して第２クライアントにメッセージ情報データを送信するに際して、第１クライアントにおいて、複数のキャリアーから所望のキヤリアーを選定し、該選定されたキヤリアーを表示し、該表示されたキヤリアーに必要なデータを入力し、かつ送信し、第２クライアント側において、第１クライアントから送信されたキャリアーを受信し、出力印刷するようにした電子情報伝送システムにおいて、第１クライアントからサーバーを介して第２クライアントに電子情報を送信するに際して、第１クライアントにおいて、複数のキャリアーから所望のキヤリアーを選定し、該選定されたキヤリアーを表示し、該表示されたキヤリアーに必要なデータを入力し、かつ送信するようにしたことを特徴とする。
【０００９】
本発明は、電子情報受信装置において、サーバーと、少なくとも第１クライアント及び第２クライアントとが電子通信回線を介して接続される電子情報伝送システムであって、
第１クライアントからサーバーを介して第２クライアントにメセージ情報データを送信するに際して、第１クライアントにおいて、複数のキャリアーから所望のキヤリアーを選定し、該選定されたキヤリアーを表示し、該表示されたキヤリアーに必要なデータを入力し、かつ送信し、第２クライアント側において、第１クライアントから送信されたキャリアーを受信し、出力印刷するようにした電子情報伝送システムにおいて、第２クライアント側において、第１クライアントから送信されたキャリアーを受信し、出力印刷するようにしたことを特徴とする。
【００１０】
本発明は、電子情報伝送システムにおいて、サーバーと、少なくとも第１クライアント及び第２クライアントとが電子通信回線を介して接続される電子情報伝送システムであって、第１クライアントからサーバーを介して第２クライアントに電子情報データを送信するに際して、第１クライアントにおいて、複数のキャリアーから所望のキヤリアーを選定し、該選定されたキヤリアーを表示し、該表示されたキヤリアーに必要なデータを入力するとともに必要な添付ファイルを添付し、かつ送信し、第２クライアント側において、第１クライアントから送信されたキャリアーを受信し、出力印刷するようにしたことを特徴とする。
【００１１】
本発明は、電子情報伝送システムにおいて、前記キャリアーが封筒、便箋、はがき、絵はがき、カード、箱の様式イメージ情報グループから選択されることを特徴とする。
本発明は、電子情報送信装置において、前記キャリアーが封筒、便箋、はがき、絵はがき、カード、箱の様式イメージ情報グループから選択されることを特徴とする。
本発明は、電子情報受信装置において、前記キャリアーが封筒、便箋、はがき、絵はがき、カード、箱の様式イメージ情報グループから選択されることを特徴とする。
【００１２】
本発明は、電子郵便システムにおいて、メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒、便箋、はがき、カード、絵はがき又は箱等の様式イメージデータを含む受信フォームにより、前記必要な添付情報データとともに前記メッセージ情報データを受信し、該受信情報データを第２クライアントの必要に応じて出力印刷させるようにしたことを特徴とする。
【００１３】
本発明は、電子郵便送信装置において、メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒、便箋、はがき、カード、絵はがき又は箱等の様式イメージデータを含む受信フォームにより、前記必要な添付情報データとともに前記メッセージ情報データを受信し、該受信情報データを第２クライアントの必要に応じて出力印刷させるようにした電子郵便システムにおいて、第１クライアント側において、封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、必要な場合には、写真情報データ、動画情報データ及び／又は音声情報データを添付情報データとして添付して、該必要な添付情報データとともに前記メッセージ情報データを送信することを特徴とする。
【００１４】
本発明は、電子郵便受信装置において、メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒、便箋、はがき、カード、絵はがき又は箱等の様式イメージデータを含む受信フォームにより、前記必要な添付情報データとともに前記メッセージ情報データを受信し、該受信情報データを第２クライアントの必要に応じて出力印刷させるようにした電子郵便システムおいて、第１クライアントからメールサーバーを介して第２クライアントに電子郵便を送信するに際して、第２クライアント側において、第１クライアント側で予め選定された封筒、便箋、はがき、カード、絵はがき又は箱等の様式イメージデータを含む受信フォームにより、前記必要な添付情報データとともに前記メッセージ情報データを受信し、該受信情報データを第２クライアントの必要に応じて出力印刷させるようにしたことを特徴とする
【００１５】
発明は、電子郵便システムにおいて、メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒、便箋、はがき、カード、絵はがき又は箱等の様式イメージデータを含む受信フォームにより、前記必要な添付情報データとともに前記メッセージ情報データを受信し、該受信情報データを第２クライアントの必要に応じて、変更可能な印刷設定条件下で、出力印刷させるようにしたことを特徴とする。
【００１６】
本発明は、電子郵便送信装置において、メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒、便箋、はがき、カード、絵はがき又は箱等の様式イメージデータを含む受信フォームにより、前記必要な添付情報データとともに前記メッセージ情報データを受信し、該受信情報データを第２クライアントの必要に応じて、変更可能な印刷設定条件下で、出力印刷させるようにした電子郵便システムにおいて、第１クライアントからメールサーバーを介して第２クライアントに電子郵便を送信するに際して、第１クライアント側において、封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、必要な場合には、写真情報データ、動画情報データ及び／又は音声情報データを添付情報データとして添付して、該必要な添付情報データとともに前記メッセージ情報データを送信するようにしたことを特徴とする。
【００１７】
本発明は、電子郵便受信装置において、メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒、便箋、はがき、カード、絵はがき又は箱等の様式イメージデータを含む受信フォームにより、前記必要な添付情報データとともに前記メッセージ情報データを受信し、該受信情報データを第２クライアントの必要に応じて、変更可能な印刷設定条件下で、出力印刷させるようにしたことを特徴とする電子郵便システムにおいて、第２クライアント側において、第１クライアント側で予め選定された封筒、便箋、はがき、カード、絵はがき又は箱等の様式イメージデータを含む受信フォームにより、前記必要な添付情報データとともに前記メッセージ情報データを受信し、該受信情報データを第２クライアントの必要に応じて、変更可能な印刷設定条件下で、出力印刷させるようにしたことを特徴とする。
【００１８】
本発明は、電子郵便システムにおいて、メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒作成フォーマットを含む封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒の様式イメージデータを含む受信フォームにより、前記必要な添付情報データとともに前記メッセージ情報データを受信し、封筒作成フォーマットを出力印刷させるようにしたことを特徴とする。
【００１９】
本発明は、電子郵便送信装置において、メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒作成フォーマットを含む封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒の様式イメージデータを含む受信フォームにより、前記必要な添付情報データとともに前記メッセージ情報データを受信し、封筒作成フォーマットを出力印刷させるようにしたことを特徴とする電子郵便システムにおいて、第１クライアントからメールサーバーを介して第２クライアントに電子郵便を送信するに際して、第１クライアント側において、封筒作成フォーマットを含む封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、必要な場合には、写真情報データ、動画情報データ及び／又は音声情報データを添付情報データとして添付して、該必要な添付情報データとともに前記メッセージ情報データを送信するようにしたことを特徴とする。
【００２０】
本発明は、電子郵便受信装置において、メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒作成フォーマットを含む封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒の様式イメージデータを含む受信フォームにより、前記必要な添付情報データとともに前記メッセージ情報データを受信し、封筒作成フォーマットを出力印刷させるようにしたことを特徴とする電子郵便システムにおいて、第２クライアント側において、第１クライアント側で予め選定された封筒の様式イメージデータを含む受信フォームにより、前記必要な添付情報データとともに前記メッセージ情報データを受信し、封筒作成フォーマットを出力印刷させるようにしたことを特徴とする。
【００２１】
本発明は、電子郵便システムにおいて、メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒作成フォーマットを含む封筒及び絵柄又は模様を付した便箋の様式イメージ情報を含む送信フォームから所望の送信フォームを選定し、選定した封筒及び便箋の送信フォームを表示し、該表示した送信フォームに第１クライアントに対応する差出人の氏名及び住所、第２クライアントの送信先の宛名及び住所並びに所望のメッセージ情報データを入力し、該送信フォームを送信し、第２クライアント側において、第１クライアント側で予め選定された封筒の様式イメージデータを含む受信フォームにより、前記メッセージ情報データを受信すると共に、封筒作成フォーマットを出力印刷させ、封筒を作成し、該封筒に前記便箋を封入するようにしたことを特徴とする。
【００２２】
本発明は、電子郵便送信装置において、メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒作成フォーマットを含む封筒及び絵柄又は模様を付した便箋の様式イメージ情報を含む送信フォームから所望の送信フォームを選定し、選定した封筒及び便箋の送信フォームを表示し、該表示した送信フォームに第１クライアントに対応する差出人の氏名及び住所、第２クライアントの送信先の宛名及び住所並びに所望のメッセージ情報データを入力し、該送信フォームを送信し、第２クライアント側において、第１クライアント側で予め選定された封筒の様式イメージデータを含む受信フォームにより、前記メッセージ情報データを受信すると共に、封筒作成フォーマットを出力印刷させ、封筒を作成し、該封筒に前記便箋を封入するようにした電子郵便システムにおいて、第１クライアントからメールサーバーを介して第２クライアントに電子郵便を送信するに際して、第１クライアント側において、封筒作成フォーマットを含む封筒及び絵柄又は模様を付した便箋の様式イメージ情報を含む送信フォームから所望の送信フォームを選定し、選定した封筒及び便箋の送信フォームを表示し、該表示した送信フォームに第１クライアントに対応する差出人の氏名及び住所、第２クライアントの送信先の宛名及び住所並びに所望のメッセージ情報データを入力し、該送信フォームを送信するようにしたことを特徴とする。
【００２３】
本発明は、電子郵便受信装置において、メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒作成フォーマットを含む封筒及び絵柄又は模様を付した便箋の様式イメージ情報を含む送信フォームから所望の送信フォームを選定し、選定した封筒及び便箋の送信フォームを表示し、該表示した送信フォームに第１クライアントに対応する差出人の氏名及び住所、第２クライアントの送信先の宛名及び住所並びに所望のメッセージ情報データを入力し、該送信フォームを送信し、第２クライアント側において、第１クライアント側で予め選定された封筒の様式イメージデータを含む受信フォームにより、前記メッセージ情報データを受信すると共に、封筒作成フォーマットを出力印刷させ、封筒を作成し、該封筒に前記便箋を封入するようにした電子郵便システムにおいて、第２クライアント側において、第１クライアント側で予め選定された封筒の様式イメージデータを含む受信フォームにより、前記メッセージ情報データを受信すると共に、封筒作成フォーマットを出力印刷させ、封筒を作成し、該封筒に前記便箋を封入するようにしたことを特徴とする。
【００２４】
本発明は、電子郵便システムにおいて、メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒作成フォーマットを含む絵柄又は模様を付した封筒及び絵柄又は模様を付した便箋の様式イメージ情報を含む送信フォームから所望の送信フォームを選定し、選定した封筒及び便箋の送信フォームを表示し、該表示した送信フォームに第１クライアントに対応する差出人の氏名及び住所、第２クライアントの送信先の宛名及び住所並びに所望のメッセージ情報データを入力し、該送信フォームを送信し、第２クライアント側において、第１クライアント側で予め選定された封筒及び便箋の様式イメージデータを含む受信フォームにより、前記メッセージ情報データを受信すると共に、封筒作成フォーマットを出力印刷させ、封筒を作成し、該封筒に前記便箋を封入するようにしたことを特徴とする。
【００２５】
本発明は、電子郵便送信装置において、メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒作成フォーマットを含む絵柄又は模様を付した封筒及び絵柄又は模様を付した便箋の様式イメージ情報を含む送信フォームから所望の送信フォームを選定し、選定した封筒及び便箋の送信フォームを表示し、該表示した送信フォームに第１クライアントに対応する差出人の氏名及び住所、第２クライアントの送信先の宛名及び住所並びに所望のメッセージ情報データを入力し、該送信フォームを送信し、第２クライアント側において、第１クライアント側で予め選定された封筒及び便箋の様式イメージデータを含む受信フォームにより、前記メッセージ情報データを受信すると共に、封筒作成フォーマットを出力印刷させ、封筒を作成し、該封筒に前記便箋を封入するようにした電子郵便システムにおいて、第１クライアントからメールサーバーを介して第２クライアントに電子郵便を送信するに際して、第１クライアント側において、封筒作成フォーマットを含む絵柄又は模様を付した封筒及び絵柄又は模様を付した便箋の様式イメージ情報を含む送信フォームから所望の送信フォームを選定し、選定した封筒及び便箋の送信フォームを表示し、該表示した送信フォームに第１クライアントに対応する差出人の氏名及び住所、第２クライアントの送信先の宛名及び住所並びに所望のメッセージ情報データを入力し、該送信フォームを送信することを特徴とする。
【００２６】
本発明は、電子郵便受信装置において、メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒作成フォーマットを含む絵柄又は模様を付した封筒及び絵柄又は模様を付した便箋の様式イメージ情報を含む送信フォームから所望の送信フォームを選定し、選定した封筒及び便箋の送信フォームを表示し、該表示した送信フォームに第１クライアントに対応する差出人の氏名及び住所、第２クライアントの送信先の宛名及び住所並びに所望のメッセージ情報データを入力し、該送信フォームを送信し、第２クライアント側において、第１クライアント側で予め選定された封筒及び便箋の様式イメージデータを含む受信フォームにより、前記メッセージ情報データを受信すると共に、封筒作成フォーマットを出力印刷させ、封筒を作成し、該封筒に前記便箋を封入するようにした電子郵便システムにおいて、第２クライアント側において、第１クライアント側で予め選定された封筒及び便箋の様式イメージデータを含む受信フォームにより、前記メッセージ情報データを受信すると共に、封筒作成フォーマットを出力印刷させ、封筒を作成し、該封筒に前記便箋を封入するようにしたことを特徴とする。
【００２７】
本発明は、電子郵便装置において、メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、切手を表示し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒、便箋、はがき、カード、絵はがき又は箱等の様式イメージデータを含む受信フォームにより、前記必要な添付情報データとともに、切手を含む前記メッセージ情報データを受信し、該受信情報データを第２クライアントの必要に応じて、変更可能な印刷設定条件下で、出力印刷させるようにしたことを特徴とする。
【００２８】
本発明は、電子郵便送信装置において、メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、切手を表示し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒、便箋、はがき、カード、絵はがき又は箱等の様式イメージデータを含む受信フォームにより、前記必要な添付情報データとともに、切手を含む前記メッセージ情報データを受信し、該受信情報データを第２クライアントの必要に応じて、変更可能な印刷設定条件下で、出力印刷させるようにした電子郵便システムにおいて、第１クライアントからメールサーバーを介して第２クライアントに電子郵便を送信するに際して、第１クライアント側において、封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、切手を表示し、必要な場合には、写真情報データ、動画情報データ及び／又は音声情報データを添付情報データとして添付して、該必要な添付情報データとともに前記メッセージ情報データを送信することを特徴とする。
【００２９】
本発明は、電子郵便受信装置において、メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、切手を表示し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒、便箋、はがき、カード、絵はがき又は箱等の様式イメージデータを含む受信フォームにより、前記必要な添付情報データとともに、切手を含む前記メッセージ情報データを受信し、該受信情報データを第２クライアントの必要に応じて、変更可能な印刷設定条件下で、出力印刷させるようにした電子郵便システムにおいて、第２クライアント側において、第１クライアント側で予め選定された封筒、便箋、はがき、カード、絵はがき又は箱等の様式イメージデータを含む受信フォームにより、前記必要な添付情報データとともに、切手を含む前記メッセージ情報データを受信し、該受信情報データを第２クライアントの必要に応じて、変更可能な印刷設定条件下で、出力印刷させるようにしたことを特徴とする。
【００３０】
本発明は、電子郵便システムにおいて、メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒作成フォーマットを含む封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、切手を表示し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒、便箋、はがき、カード、絵はがき又は箱等の様式イメージデータを含む受信フォームにより、前記必要な添付情報データとともに、切手を含む前記メッセージ情報データを受信し、封筒作成フォーマットを出力印刷させるようにしたことを特徴とする。
【００３１】
本発明は、電子郵便送信装置において、メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒作成フォーマットを含む封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、切手を表示し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒、便箋、はがき、カード、絵はがき又は箱等の様式イメージデータを含む受信フォームにより、前記必要な添付情報データとともに、切手を含む前記メッセージ情報データを受信し、封筒作成フォーマットを出力印刷させるようにした電子郵便システムにおいて、第１クライアントからメールサーバーを介して第２クライアントに電子郵便を送信するに際して、第１クライアント側において、封筒作成フォーマットを含む封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、切手を表示し、必要な場合には、写真情報データ、動画情報データ及び／又は音声情報データを添付情報データとして添付して、該必要な添付情報データとともに前記メッセージ情報データを送信するようにしたことを特徴とする。
【００３２】
本発明は、電子郵便受信装置において、メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒作成フォーマットを含む封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、切手を表示し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒、便箋、はがき、カード、絵はがき又は箱等の様式イメージデータを含む受信フォームにより、前記必要な添付情報データとともに、切手を含む前記メッセージ情報データを受信し、封筒作成フォーマットを出力印刷させるようにした電子郵便システムにおいて、第２クライアント側において、第１クライアント側で予め選定された封筒、便箋、はがき、カード、絵はがき又は箱等の様式イメージデータを含む受信フォームにより、前記必要な添付情報データとともに、切手を含む前記メッセージ情報データを受信し、封筒作成フォーマットを出力印刷させるようにしたことを特徴とする。
【発明の効果】
【００３３】
本発明は、事務的で無味乾燥であった電子メールシステムを大きく変え、従来は、あまり考慮されなかった差出人の気持や感情などをより正確に伝達でき、人間味豊かな電子郵便システムを提供できる。
【発明を実施するための最良の形態】
【００３４】
サーバーと、少なくとも第１クライアント及び第２クライアントとが電子通信回線を介して接続される電子情報伝送システムであって、第１クライアントからサーバーを介して第２クライアントに電子情報を送信するに際して、第１クライアントにおいて、複数のキャリアーから所望のキヤリアーを選定し、該選定されたキヤリアーを表示し、該表示されたキヤリアーに必要なデータを入力し、かつ送信し、第２クライアント側において、第１クライアントから送信されたキャリアーを受信するようにしたことを特徴とする電子情報伝送システムを提供する。
【００３５】
サーバーと、少なくとも第１クライアント及び第２クライアントとが電子通信回線を介して接続される電子情報伝送システムであって、第１クライアントからサーバーを介して第２クライアントに電子情報を送信するに際して、第１クライアントにおいて、複数のキャリアーから所望のキヤリアーを選定し、該選定されたキヤリアーを表示し、該表示されたキヤリアーに必要なデータを入力するとともに必要な添付ファイルを添付し、かつ送信し、第２クライアント側において、第１クライアントから送信されたキャリアーを受信するようにしたことを特徴とする電子情報伝送システムを提供する。
【００３６】
サーバーと、少なくとも第１クライアント及び第２クライアントとが電子通信回線を介して接続される電子情報伝送システムであって、第１クライアントからサーバーを介して第２クライアントに電子情報データを送信するに際して、第１クライアントにおいて、複数のキャリアーから所望のキヤリアーを選定し、該選定されたキヤリアーを表示し、該表示されたキヤリアーに必要な電子情報データを入力し、かつ送信し、第２クライアント側において、第１クライアントから送信されたキャリアーを受信するようにしたことを特徴とする電子情報伝送システムを提供する。
【００３７】
メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒、便箋、はがき、カード、絵はがき又は箱等の様式イメージデータを含む受信フォームにより、前記必要な添付情報データとともに前記メッセージ情報データを受信し、該受信情報データを第２クライアントの必要に応じて出力印刷させるようにしたことを特徴とする電子郵便システムを提供する。
【００３８】
メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒作成フォーマットを含む封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒の様式イメージデータを含む受信フォームにより、前記必要な添付情報データとともに前記メッセージ情報データを受信し、封筒作成フォーマットを出力印刷させるようにしたことを特徴とする電子郵便システムを提供する。
【００３９】
メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒作成フォーマットを含む絵柄又は模様を付した封筒及び絵柄又は模様を付した便箋の様式イメージ情報を含む送信フォームから所望の送信フォームを選定し、選定した封筒及び便箋の送信フォームを表示し、該表示した送信フォームに第１クライアントに対応する差出人の氏名及び住所、第２クライアントの送信先の宛名及び住所並びに所望のメッセージ情報データを入力し、該送信フォームを送信し、第２クライアント側において、第１クライアント側で予め選定された封筒及び便箋の様式イメージデータを含む受信フォームにより、前記メッセージ情報データを受信すると共に、封筒作成フォーマットを出力印刷させ、封筒を作成し、該封筒に前記便箋を封入するようにしたことを特徴とする電子郵便システムを提供する。
【００４０】
メールサーバーと、少なくとも第１クライアント及び第２クライアントとが電子通信回線を介して接続されている電子郵便システムにおいて、第１クライアントからメールサーバーを介して第２クライアントに電子郵便を送信するに際して、第１クライアント側において、封筒作成フォーマットを含む封筒、便箋、はがき、カード、絵はがき及び箱等の様式イメージ情報を含む複数の送信フォームから所望の送信フォームを選定し、選定した送信フォームを表示し、表示した送信フォームに第１クライアントに対応する差出人の氏名及び住所、第２クライアントの送信先の宛名及び住所並びに所望のメッセージ情報データを入力し、切手を表示し、必要な場合には、写真情報データ、動画情報データ及び／又は音声情報データを添付情報データとして添付して、該必要な添付情報データとともに前記メッセージ情報データを送信し、第２クライアント側において、第１クライアント側で予め選定された封筒、便箋、はがき、カード、絵はがき又は箱等の様式イメージデータを含む受信フォームにより、前記必要な添付情報データとともに、切手を含む前記メッセージ情報データを受信し、封筒作成フォーマットを出力印刷させるようにしたことを特徴とする電子郵便システムを提供する。
本発明を図を用いて、さらに詳述する。
【実施例１】
【００４１】
（１）手紙を送信する場合について説明する。
メールソフトを起動して、ツールバーの「手紙」をクリックする。
図１に示されるように、横書き用封筒の表面が表示される。
表面には切手を貼る部分、宛先名、宛先メールアドレス、件名、差出人名、差出人メールアドレスの記入欄がある。
差出人名と差出人メールアドレスは、設定メニューで設定した差出人の名前とメールアドレスが自動的に記入される。
これは上書き可能である。
件名には、本文の冒頭部分が自動的に記入される。
これは上書き可能である。
この状態からツールバーの「縦書」をクリックすると、図２に示されるように、縦書き用封筒の表面が表示される。表面には切手を貼る部分、宛先名、宛先メールアドレス、件名、差出人名、差出人メールアドレスの記入欄がある。
差出人名と差出人メールアドレスは、設定メニューで設定した差出人の名前とメールアドレスが自動的に記入され。
これは上書き可能である。
件名には、本文の冒頭部分が自動的に記入される。
これは上書き可能である。
裏に記入欄のある封筒の場合は以下のようになる。
ツールバーの「手紙」をクリックする。
図３に示されるように、横書き用封筒の表面が表示される。
表面には切手を貼る部分、宛先、宛先メールアドレス、件名の記入欄がある。
表面の「裏」をクリックすると、図４に示されるように、横書き用封筒の裏面が表示される。
裏面には、設定メニューで設定した差出人の名前とメールアドレスが自動的に記入される。
これは上書き可能である。
封をするところに、封入の記入欄がある。
裏面の「表」をクリックすると、もとの表面が表示される。
表裏関係なく、横書き用封筒が表示された状態で、ツールバーの「縦書」をクリックすると、図５に示されるように、縦書き用封筒の表面が表示される。
表面には切手を貼る部分、宛先、宛先メールアドレス、件名の記入欄がある。
表面の「裏」をクリックすると、図６に示されるように、縦書き用封筒の裏面が表示される。裏面には、設定メニューで設定した差出人の名前とメールアドレスが自動的に記入される。
これは上書き可能である。
封をするところに、封入を示す記入欄がある。
裏面の「表」をクリックすると、もとの表面が表示される。
封筒の表面を表示させた状態で宛名及びそのメールアドレスを記入する。
封筒の表面を表示させた状態でツールバーの「名簿」をクリックすると、図７に示されるように、宛先を選択するメニューが現れる。
そのメニューのうち個人名をクリックすると、その個人名と、そのメールアドレスが自動的に封筒表面の宛名欄、メールアドレス欄に記入される。
【００４２】
封筒の表面を表示させた状態でツールバーの「名簿」をクリックすると、図８に示されるように、宛先を選択するメニューが現れる。
そのメニューのうちひとつのグループ名をクリックすると、そのグループの一覧表が表示され、そのグループの各個人名と、そのメールアドレスが自動的に封筒表面の宛名欄、メールアドレス欄に記入され、同じ内容の手紙がグループの全員に発信されようになる。実際に画面に表示されるのは、グループ中１名の氏名とメールアドレスである。グループの一覧表で、カーソルが、その上に来る個人名及びそのメールアドレスが、封筒の記入欄に表示される。
この時、グループ名とその人数が封筒上に表示され、手紙が送信されて送信済フォルダに残るとき、その表示が残るので、どのグループの何人に送ったのかを後で確認できる。この一覧表は「閉じる」ボタンをクリックすると閉じる。
【００４３】
封筒を表示させた状態でツールバーの「意匠」をクリックすると、図９に示されるように、各種絵柄、模様、写真等の付いた便箋を選択する小ウインドウが現れる。
この便箋選択小ウインドウは「閉じる」ボタンをクリックすると閉じることができる。
便箋選択小ウインドウの１つの便箋をクリックすると、その絵柄、模様、写真等の付いた便箋が表示される。
それに応じて、封筒も便箋と対の絵柄、模様、写真等の付いたものになる。
便箋選択小ウインドウの「追加」をクリックするとその度に、２枚目の便箋、３枚目の便箋が表示され、それに応じて、枚数を示す数字が便箋選択小ウインドウに示される。
便箋の枚数が複数の場合は、便箋がずれてその重なり具合が表示される。
また。便箋が複数枚になると、便箋下部と上部に矢印が表示され、それをクリックすることにより、便箋のページをめくることができる。
【００４４】
便箋選択小ウインドウの「無地」ボタンをクリックすると、無地の便箋を選択、表示させる。
便箋選択小ウインドウの「ダウンロード」をクリックすると、図３７に示されるように、便箋ダウンロードサイトが表示され、ここにある各種絵柄、模様、写真等の付いた便箋を選び、ドラッグアンドドロップで、個人用小ウインドウに移して「完了」をクリックすることにより、自分のパソコンに表示される便箋選択小ウインドウに、その各種絵柄、模様、写真等の付いた便箋をダウンロードすることができる。
図１０に示されるように、表示させた便箋に、文章を記入する。
表示させた便箋には、ページ数が自動的に記入される。
この時、ツールバーの「文字」をクリックすると、文字の設定用小ウインドウが表示され、それにより文字の書体、文字のサイズ、字間、行間、文字の色を設定することができる。
設定後、文字設定小ウインドウの「閉じる」をクリックすると、文字設定小ウインドウは閉じる。
【００４５】
又写真を便箋に貼り付けることができる。
便箋には手書きの文字を記入することができる。
便箋には手書きの絵を描くことができる。
便箋の下部矢印をクリックすると、図１１に示されるように、次のページ、２ページ目が表示される。便箋の上部矢印をクリックすると、前のページが表示される。
便箋の下部矢印をクリックすると、次のページ、３ページ目が表示される。
便箋の上部矢印をクリックすると、前のページが表示される。
便箋の「削除」をクリックすると、図１２に示されるように、確認のための小ウインドウが現れ、その確認小ウインドウの「削除する」をクリックすると、確認小ウインドウは閉じるとともに、表示されている便箋だけが消去され、複数枚書いている場合にはその下にある便箋が表示される。
「削除しない」をクリックすると、確認小ウインドウは閉じ、便箋はそのままである。
表示されているページが最後のページの場合、便箋の下部矢印をクリックすると、先頭に戻って１ページ目が表示される。
【００４６】
便箋を表示させた状態で、ツールバーの「録音」をクリックすると、図１３に示されるように、録音用の小ウインドウが表示される。録音小ウインドウの「開始」をクリックすると、録音が開始されるので、マイクに向かって手紙の文章を読むなどして、自分の声を録音したり、その他好きなものを録音できる。
録音小ウインドウの「終了」をクリックすると、録音が終了する。
録音小ウインドウの「添付」をクリックすると、録音小ウインドウが閉じるとともに、録音内容が便箋に添付され、その表示が便箋上に現れる。
録音小ウインドウの「取消」をクリックすると、何も録音されずに録音小ウインドウは閉じる。
添付後、添付したものを削除するには、添付の表示を選択して、キーボードの「ｄｅｌｅｔｅ」を押す。
あるいは、添付の表示をゴミ箱にドラッグアンドドロップする。
便箋を表示させた状態で、ツールバーの「添付」をクリックすると、図１４に示されるように、添付資料を表示させる小ウインドウが現れ、そこからテキスト、音楽、画像、動画等の添付資料を選択し、添付小ウインドウの「添付」をクリックすると、添付小ウインドウが閉じるとともに、選択した資料が便箋に添付され、その表示が便箋上に現れる。
添付小ウインドウの「取消」をクリックすると、何も添付されずに添付小ウインドウは閉じる。
添付後、添付したものを削除するには、添付の表示を選択して、キーボードの「ｄｅｌｅｔｅ」を押す。
あるいは、添付の表示をゴミ箱にドラッグアンドドロップする。
【００４７】
便箋の１ページ目を表示させた状態で、便箋の「封」をクリックすると便箋が封筒に封入される。
この時、封筒に「封」が表示される。
便箋と封筒を表示させた状態で、ツールバーの「封」をクリックすると便箋が封筒に封入される。
この時、封筒に「封」が表示される。
便箋を表示させた状態で、その下に隠れている封筒をクリックすると、図１５に示されるように、封筒が前面に表示される。この時、封筒に「封」が表示される。
この状態で封筒の「封」をクリックすると便箋が封筒に封入される。
あるいは、ツールバーの「封」をクリックしても便箋が封筒に封入される。
便箋が封入された状態で、封筒の「封」をクリックすると、便箋が再表示される。
あるいは、便箋が封入された状態で、ツールバーの「封」をクリックすると、便箋が再表示される。
再表示された便箋は、書き込み、添付、修正ができる。
【００４８】
封筒を表示させて、ツールバーの「切手」をクリックすると、図１６に示されるように、切手選択用の小ウインドウが現れる。
切手選択小ウインドウから切手を選んでクリックすると、その切手が封筒に自動的に貼られる。
その状態で、切手選択小ウインドウの別の切手をクリックすると、封筒の切手はその切手に変わる。
切手選択小ウインドウの「閉じる」をクリックすれば、切手選択小ウインドウは閉じる。
切手小ウインドウの「ダウンロード」をクリックすれば、図３８に示されるように、切手ダウンロードサイトが表示され、ここにある各種絵柄、模様、写真等の付いた切手を選び、ドラッグアンドドロップで、個人用小ウインドウに移して「完了」をクリックすることにより、自分のパソコンに表示される切手選択小ウインドウに、各種絵柄、模様、写真等の付いた切手をダウンロードすることができる。
また裏に記入欄のある封筒の場合は以下のようになる。
裏に記入欄のある封筒の場合、封筒表面の「裏」をクリックすれば、図１７に示されるように、封筒の裏面が表示される。
裏面が表示された封筒の「表」をクリックすれば、図１８に示されるように、封筒の表面が表示される。
裏に記入欄のある封筒の場合、便箋が封入された状態で、封筒表面の「封」をクリックすれば、中の便箋を再表示させることができる。
裏に記入欄のある封筒の場合、便箋が封入された状態で、封筒裏面の「封」をクリックすれば、中の便箋を再表示させることができる。
【００４９】
封筒の表面を表示させ、ツールバーの「親展」をクリックすると、図１９に示されるように、封筒表面に「親展」の文字が表示される。
封筒の表面を表示させ、ツールバーの「印字」をクリックすると、図２０に示されるように、印字を選択するメニューが現れる。そのメニューのうちひとつをクリックすると、それが封筒表面に表示される。
手紙を送る準備をしている途中で、ツールバーの「保留」をクリックすると、便箋が封入された状態で、封筒は保留ＢＯＸに収納される。
保留にした手紙は封筒の状態で保留ＢＯＸから取り出して、中の便箋を表示させ、再び続きを書くことができる。
手紙を送る準備をしている途中で、ツールバーの「削除」をクリックすると、図３０に示されるように、確認のための小ウインドウが現れて、その確認小ウインドウの「削除する」をクリックすると、確認小ウインドウは閉じるとともに、便箋及び封筒は消去される。
確認小ウインドウの「削除しない」をクリックすると、確認小ウインドウは閉じ、便箋及び封筒はそのままである。
手紙を送る準備作業を全て終えて、便箋を封筒に封入し、ツールバーの「送信」をクリックすると、その手紙はインターネット回線により相手に送信され、同時に封筒の表示は消える。
【００５０】
（２）はがきを送信する場合について説明する。
ツールバーの「はがき」をクリックする。
図２１に示されるように、縦書き用はがきの表面が表示される。
表面には切手を貼る部分、宛先名、宛先メールアドレス、差出人名、差出人メールアドレスの記入欄がある。
差出人名と差出人メールアドレスは、設定メニューで設定した差出人の名前とメールアドレスが自動的に記入される。
これは上書き可能である。
件名には、本文の冒頭部分が自動的に記入される。
これは上書き可能である。
この状態からツールバーの「横書」をクリックすると、横書き用はがきの表面が表示される。
表面には切手を貼る部分、宛先名、宛先メールアドレス、差出人名、差出人メールアドレスの記入欄がある。
差出人名と差出人メールアドレスは、設定メニューで設定した差出人の名前とメールアドレスが自動的に記入される。
これは上書き可能である。
はがきの表面の「裏」をクリックすれば、はがきの裏面が表示される。
はがきの裏面の「表」をクリックすれば、はがきの表面が表示される。
はがきの表面を表示させた状態で宛名及びそのメールアドレスを記入する。
はがきの表面を表示させた状態でツールバーの「名簿」をクリックすると、宛先を選択するメニューが現れる。
そのメニューのうち個人名をクリックすると、その個人名と、そのメールアドレスが自動的にはがき表面の宛名欄、メールアドレス欄に記入される。
はがきの表面を表示させた状態でツールバーの「名簿」をクリックすると、宛先を選択するメニューが現れる。
そのメニューのうちひとつのグループ名をクリックすると、そのグループの一覧表が表示され、そのグループの各個人名と、そのメールアドレスが自動的にはがき表面の宛名欄、メールアドレス欄に記入され、同じ内容の手紙がグループの全員に発信されようになる。
実際に画面に表示されるのは、グループ中１名の氏名とメールアドレスである。
グループの一覧表で、カーソルが、その上に来る個人名及びそのメールアドレスが、はがきの記入欄に表示される。
この時、グループ名とその人数がはがき上に表示され、手紙が送信されて送信済フォルダに残るとき、その表示が残るので、どのグループの何人に送ったのかを後で確認できる。
この一覧表は「閉じる」ボタンをクリックすると閉じる。
【００５１】
はがきの裏面を表示させた状態でツールバーの「意匠」をクリックすると、図２２に示されるように、各種絵柄、模様、写真等の付いたはがきを選択する小ウインドウが現れる。
このはがき選択小ウインドウは「閉じる」ボタンをクリックすると閉じる。
はがき選択小ウインドウのひとつのはがきをクリックすると、その絵柄、模様、写真等の付いたはがきの裏面が表示される。
それに応じて、表面も裏面と対の絵柄、模様、写真等の付いたものになる。
はがき選択小ウインドウの「無地」ボタンをクリックすると、無地のはがきを表示させる。
はがき選択小ウインドウの「ダウンロード」をクリックすると、はがきダウンロードサイトが表示され、ここにある絵はがきや年賀状をはじめとする、各種絵柄、模様、写真等の付いたはがきを選び、ドラッグアンドドロップで、個人用小ウインドウに移して「完了」をクリックすることにより、自分のパソコンに表示されるはがき選択小ウインドウに、その各種絵柄、模様、写真等の付いたはがきをダウンロードすることができる。
表示させたはがきに、文章を記入する。
この時、ツールバーの「文字」をクリックすると、文字の設定用小ウインドウが表示され、それにより文字の書体、文字のサイズ、字間、行間、文字の色を設定することができる。
この文字設定小ウインドウの「取消」ボタンをクリックすると、何も設定されずに文字設定小ウインドウは閉じる。
設定後、文字設定小ウインドウの「閉じる」をクリックすると、文字設定小ウインドウは閉じる。
【００５２】
はがきには写真を貼り付けることができる。
はがきには手書きの文字を記入することができる。
はがきには手書きの絵を描くことができる。
はがきを表示させた状態で、ツールバーの「録音」をクリックすると録音用の小ウインドウが表示される。
録音小ウインドウの「開始」をクリックすると、録音が開始されるので、マイクに向かって手紙の文章を読むなどして、自分の声を録音したり、その他好きなものを録音できる。
録音小ウインドウの「終了」をクリックすると、録音が終了する。
録音小ウインドウの「添付」をクリックすると、録音小ウインドウが閉じるとともに、録音内容がはがきに添付され、その表示がはがき上に現れる。
録音小ウインドウの「取消」をクリックすると、何も録音されずに録音小ウインドウは閉じる。
添付後、添付したものを削除するには、添付の表示を選択して、キーボードの「ｄｅｌｅｔｅ」を押す。
あるいは、添付の表示をゴミ箱にドラッグアンドドロップする。
【００５３】
はがきを表示させた状態で、ツールバーの「添付」をクリックすると添付資料を表示させる小ウインドウが現れ、そこからテキスト、音楽、画像、動画等の添付資料を選択し、添付小ウインドウの「添付」をクリックすると、添付小ウインドウが閉じるとともに、選択した資料がはがきに添付され、その表示がはがきに現れる。
添付小ウインドウの「取消」をクリックすると、何も添付されずに添付小ウインドウは閉じる。
添付後、添付したものを削除するには、添付の表示を選択して、キーボードの「ｄｅｌｅｔｅ」を押す。
あるいは、添付の表示をゴミ箱にドラッグアンドドロップする。
はがきの表面を表示させて、ツールバーの「切手」をクリックすると切手選択用の小ウインドウが現れる。
切手選択小ウインドウから切手を選んでクリックすると、その切手がはがきに自動的に貼られる。
その状態で、切手選択小ウインドウの別の切手をクリックすると、はがき上の切手はその切手に変わる。
切手選択小ウインドウの「閉じる」をクリックすれば、切手選択小ウインドウは閉じる。
【００５４】
切手小ウインドウの「ダウンロード」をクリックすれば、図３８に示されるように、切手ダウンロードサイトが表示され、ここにある各種絵柄、模様、写真等の付いた切手を選び、ドラッグアンドドロップで、個人用小ウインドウに移して「完了」をクリックすることにより、自分のパソコンに表示される便箋選択小ウインドウに、各種デザインされた切手をダウンロードすることができる。
封筒の表面を表示させ、ツールバーの「印字」をクリックすると、印字を選択するメニューが現れる。
そのメニューのうちひとつをクリックすると、それがはがき表面に表示される。
はがきを送る準備をしている途中でツールバーの「保留」をクリックすると、そのはがきは、保留ＢＯＸに収納される。
保留にしたはがきは、保留ＢＯＸから取り出して表示させ、再び続きを書くことができる。
はがきを送る準備をしている途中で、ツールバーの「削除」をクリックすると、確認のための小ウインドウが現れて、その確認小ウインドウの「削除する」をクリックすると、確認小ウインドウは閉じるとともに、表示されているはがきは消去される。
確認小ウインドウの「削除しない」をクリックすると、確認小ウインドウは閉じ、はがきはそのままである。
はがきを送る準備作業を全て終え、ツールバーの「送信」をクリックすると、そのはがきはインターネット回線により相手に送信され、同時にはがきの表示は消える。
【００５５】
（３）カード送信の送信について説明する。
ツールバーの「カード」をクリックする。
図２３に示されるように、横書き用封筒の表面が表示される。
表面には切手を貼る部分、宛先名、宛先メールアドレス、件名、差出人名、差出人メールアドレスの記入欄がある。
差出人名と差出人メールアドレスは、設定メニューで設定した差出人の名前とメールアドレスが自動的に記入される。
これは上書き可能である。
件名には、カード本文の冒頭部分が自動的に記入される。
これは上書き可能である。
【００５６】
この状態からツールバーの「縦書」をクリックすると、縦書き用封筒の表面が表示される。
表面には切手を貼る部分、宛先名、宛先メールアドレス、件名、差出人名、差出人メールアドレスの記入欄がある。
差出人名と差出人メールアドレスは、設定メニューで設定した差出人の名前とメールアドレスが自動的に記入される。
これは上書き可能である。
件名には、カード本文の冒頭部分が自動的に記入される。
これは上書き可能である。
裏に記入欄のある封筒の場合は以下のようになる。
ツールバーの「カード」をクリックする。
横書き用封筒の表面が表示される。
表面には切手を貼る部分、宛先、宛先メールアドレス、件名の記入欄がある。
表面の「裏」をクリックすると、横書き用封筒の裏面が表示される。
裏面には、設定メニューで設定した差出人の名前とメールアドレスが自動的に記入される。
これは上書き可能である。
封をするところに、封入の記入欄がある。
裏面の「表」をクリックすると、もとの表面が表示される。
表裏関係なく、横書き用封筒が表示された状態で、ツールバーの「縦書」をクリックすると、縦書き用封筒の表面が表示される。
表面には切手を貼る部分、宛先、宛先メールアドレス、件名の記入欄がある。
表面の「裏」をクリックすると、縦書き用封筒の裏面が表示される。
裏面には、設定メニューで設定した差出人の名前とメールアドレスが自動的に記入される。
これは上書き可能である。
封をするところに、封入を示す記入欄がある。
裏面の「表」をクリックするともとの表面が表示される。
封筒の表面を表示させた状態で、宛名及びそのメールアドレスを記入する。
【００５７】
封筒の表面を表示させた状態でツールバーの「名簿」をクリックすると、宛先を選択するメニューが現れる。
そのメニューのうち個人名をクリックすると、その個人名と、そのメールアドレスが自動的に封筒表面の宛名欄、メールアドレス欄に記入される。
封筒の表面を表示させた状態でツールバーの「名簿」をクリックすると、宛先を選択するメニューが現れる。
そのメニューのうちひとつのグループ名をクリックすると、そのグループの一覧表が表示され、そのグループの各個人名と、そのメールアドレスが自動的に封筒表面の宛名欄、メールアドレス欄に記入され、同じ内容の手紙がグループの全員に発信されようになる。実際に画面に表示されるのは、グループ中１名の氏名とメールアドレスである。
ループの一覧表で、カーソルが、その上に来る個人名及びそのメールアドレスが封筒の記入欄に表示される。
この時、グループ名とその人数が封筒上に表示され、手紙が送信されて送信済フォルダに残るとき、その表示が残るので、どのグループの何人に送ったのかを後で確認できる。
この一覧表は「閉じる」ボタンをクリックすると閉じる。
【００５８】
封筒を表示させた状態でツールバーの「意匠」をクリックすると、図２４に示されるように、各種絵柄、模様、写真等の付いたカードを選択する小ウインドウが現れる。
このカード選択小ウインドウは「閉じる」ボタンをクリックすると閉じる。
カード選択小ウインドウのひとつのカードをクリックすると、その絵柄、模様、写真等の付いたカードが表示される。
それに応じて、封筒もカードと対の絵柄、模様、写真等の付いたものになる。
カード選択小ウインドウの「無地」ボタンをクリックすると、無地のカードを表示させる。
カード選択小ウインドウの「ダウンロード」をクリックすると、カードダウンロードサイトが表示され、ここにある誕生カードやクリスマスカードをはじめとする、各種絵柄、模様、写真等の付いたカードを選び、ドラッグアンドドロップで、個人用小ウインドウに移して「完了」をクリックすることにより、自分のパソコンに表示されるカード選択小ウインドウに、その各種絵柄、模様、写真等の付いたカードをダウンロードすることができる。
表示させたカードには、文章を記入することができる。
この時、ツールバーの「文字」をクリックすると、文字の設定用小ウインドウが表示され、それにより文字の書体、文字のサイズ、字間、行間、文字の色を設定することができる。
この文字設定小ウインドウの「取消」ボタンをクリックすると、何も設定されずに文字設定小ウインドウは閉じる。
設定後、文字設定小ウインドウの「閉じる」をクリックすると、文字設定小ウインドウは閉じる。
【００５９】
カードには写真を貼り付けることができる。
カードには手書きの文字を記入することができる。
カードには手書きの絵を描くことができる。
カードを表示させた状態で、ツールバーの「録音」をクリックすると録音用の小ウインドウが表示される。
録音小ウインドウの「開始」をクリックすると、録音が開始されるので、マイクに向かって手紙の文章を読むなどして、自分の声を録音したり、その他好きなものを録音できる。
録音小ウインドウの「終了」をクリックすると、録音が終了する。
録音小ウインドウの「添付」をクリックすると、録音小ウインドウが閉じるとともに、録音内容がカードに添付され、その表示がカード上に現れる。
録音小ウインドウの「取消」をクリックすると、何も録音されずに録音小ウインドウは閉じる。
添付後、添付したものを削除するには、添付の表示を選択して、キーボードの「ｄｅｌｅｔｅ」を押す。
あるいは、添付の表示をゴミ箱にドラッグアンドドロップする。
カードを表示させた状態で、ツールバーの「添付」をクリックすると添付資料を表示させる小ウインドウが現れ、そこからテキスト、音楽、画像、動画等の添付資料を選択し、添付小ウインドウの「添付」をクリックすると、添付小ウインドウが閉じるとともに、選択した資料がカードに添付され、その表示がカード上に現れる。
添付小ウインドウの「取消」をクリックすると、何も添付されずに添付小ウインドウは閉じる。
添付後、添付したものを削除するには、添付の表示を選択して、キーボードの「ｄｅｌｅｔｅ」を押す。
あるいは、添付の表示をゴミ箱にドラッグアンドドロップする。
カードを表示させた状態で、カード上の「封」をクリックするとカードが封筒に封入される。
カードと封筒を表示させた状態で、ツールバーの「封」をクリックするとカードが封筒に封入される。
カードを表示させた状態で、その下に隠れている封筒をクリックすると、封筒が前面に表示される。
この状態で封筒上の「封」をクリックするとカードが封筒に封入される。
あるいは、ツールバーの「封」をクリックしてもカードが封筒に封入される。
カードが封入された状態で、封筒上の「封」をクリックすると、カードが再表示される。
あるいは、カードが封入された状態で、ツールバーの「封」をクリックすると、カードが再表示される。
再表示されたカードは、書き込み、添付、修正ができる。
【００６０】
封筒を表示させて、ツールバーの「切手」をクリックすると切手選択用の小ウインドウが現れる。
切手選択小ウインドウから切手を選んでクリックすると、その切手が封筒に自動的に貼られる。
その状態で、切手選択小ウインドウの別の切手をクリックすると、封筒上の切手はその切手に変わる。
切手選択小ウインドウの「閉じる」をクリックすれば、切手選択小ウインドウは閉じる。
切手小ウインドウの「ダウンロード」をクリックすれば、図３８に示されるように、切手ダウンロードサイトが表示され、ここにある各種絵柄、模様、写真等の付いた切手を選び、ドラッグアンドドロップで、個人用小ウインドウに移して「完了」をクリックすることにより、自分のパソコンに表示される切手選択小ウインドウに、各種絵柄、模様、写真等の付いた切手をダウンロードすることができる。
裏に記入欄のある封筒の場合は以下のようになる。
裏に記入欄のある封筒の場合、封筒表面の「裏」をクリックすれば、封筒の裏面が表示される。
裏面が表示された封筒の「表」をクリックすれば、封筒の表面が表示される。
裏に記入欄のある封筒の場合、カードが封入された状態で、封筒表面の「封」をクリックすれば、中のカードを再表示させることができる。
裏に記入欄のある封筒の場合、カードが封入された状態で、封筒裏面の「封」をクリックすれば、中のカードを再表示させることができる。
【００６１】
封筒の表面を表示させ、ツールバーの「親展」をクリックすると、封筒上に「親展」の文字が表示される。
封筒の表面を表示させ、ツールバーの「印字」をクリックすると、印字を選択するメニューが現れる。
そのメニューのうちひとつをクリックすると、それが封筒表面に表示される。
カードを送る準備をしている途中でツールバーの「保留」をクリックすると、カードが封入された状態で、保留ＢＯＸに収納される。
保留にしたカードは、封筒に封入された状態で保留ＢＯＸから取り出し、中のカードを表示させて、再び続きを書くことができる。
カードを送る準備をしている途中で、ツールバーの「削除」をクリックすると、確認のための小ウインドウが現れて、その確認小ウインドウの「削除する」をクリックすると、確認小ウインドウは閉じるとともに、表示されているカード及び封筒は消去される。
確認小ウインドウの「削除しない」をクリックすると、確認小ウインドウは閉じ、カード及び封筒はそのままである。
カードを送る準備作業を全て終えて、カードを封筒に封入し、ツールバーの「送信」をクリックすると、その手紙はインターネット回線により相手に送信され、同時に封筒の表示は消える。
【００６２】
（４）  箱送信について、説明する
ツールバーの「箱」をクリックする。
図２５に示されるように、箱が表示される。
箱の上面には切手を貼る部分、宛先名、宛先メールアドレス、件名、差出人名、差出人メールアドレスの記入欄がある。
差出人名と差出人メールアドレスは、設定メニューで設定した差出人の名前とメールアドレスが自動的に記入される。
これは上書き可能である。
件名には、カード本文の冒頭部分が自動的に記入される。
これは上書き可能である。
【００６３】
箱を表示させた状態で宛名及びそのメールアドレスを記入する。
箱を表示させた状態でツールバーの「名簿」をクリックすると、宛先を選択するメニューが現れる。
そのメニューのうち個人名をクリックすると、その個人名と、そのメールアドレスが自動的に封筒表面の宛名欄、メールアドレス欄に記入される。
箱を表示させた状態でツールバーの「名簿」をクリックすると、宛先を選択するメニューが現れる。
そのメニューのうちひとつのグループ名をクリックすると、そのグループの一覧表が表示され、そのグループの各個人名と、そのメールアドレスが自動的に箱の宛名欄、メールアドレス欄に記入され、同じ内容の手紙がグループの全員に発信されようになる。
実際に画面に表示されるのは、グループ中１名の氏名とメールアドレスである。
グループの一覧表で、カーソルが、その上に来る個人名及びそのメールアドレスが箱の記入欄に表示される。
この時、グループ名とその人数が箱上に表示され、手紙が送信されて送信済フォルダに残るとき、その表示が残るので、どのグループの何人に送ったのかを後で確認できる。
この一覧表は「閉じる」ボタンをクリックすると閉じる。
【００６４】
箱を表示させた状態でツールバーの「意匠」をクリックすると、図２６に示されるように、各種箱のサイズと各種リボン、絵柄、模様、写真等を選択する箱選択小ウインドウが現れる。
この箱選択小ウインドウは「閉じる」ボタンをクリックすると閉じる。
箱選択小ウインドウの、各種箱のサイズと各種リボン、絵柄、模様、写真等をクリックすると、その各種サイズと各種リボン、絵柄、模様、写真等の箱が表示される。
それに応じて、同じ絵柄、模様、写真等の付いたカードが表示される。
箱選択小ウインドウの「無地」ボタンをクリックすると、無地の箱を表示させる。
それに応じて、無地のカードが表示される。
箱選択小ウインドウの「ダウンロード」をクリックすると、箱ダウンロードサイトが表示され、ここにある各種サイズ及び各種リボン、絵柄、模様、写真等を選び、ドラッグアンドドロップで、個人用小ウインドウに移して「完了」をクリックすることにより、自分のパソコンに表示される箱選択小ウインドウに、その各種サイズ及び各種リボン、絵柄、模様、写真等をダウンロードすることができる。
【００６５】
表示させたカードには、文章を記入することができる。
この時、ツールバーの「文字」をクリックすると、文字の設定用小ウインドウが表示され、それにより文字の書体、文字のサイズ、字間、行間、文字の色を設定することができる。
この文字設定小ウインドウの「取消」ボタンをクリックすると、何も設定されずに文字設定小ウインドウは閉じる。
設定後、文字設定小ウインドウの「閉じる」をクリックすると、文字設定小ウインドウは閉じる。
【００６６】
カードには写真を貼り付けることができる。
カードには手書きの文字を記入することができる。
カードには手書きの絵を描くことができる。
カードを表示させた状態で、ツールバーの「録音」をクリックすると録音用の小ウインドウが表示される。
録音小ウインドウの「開始」をクリックすると、録音が開始されるので、マイクに向かって手紙の文章を読むなどして、自分の声を録音したり、その他好きなものを録音できる。
録音小ウインドウの「終了」をクリックすると、録音が終了する。
録音小ウインドウの「添付」をクリックすると、録音小ウインドウが閉じるとともに、録音内容がカードに添付され、その表示がカード上に現れる。
録音小ウインドウの「取消」をクリックすると、何も録音されずに録音小ウインドウは閉じる。
添付後、添付したものを削除するには、添付の表示を選択して、キーボードの「ｄｅｌｅｔｅ」を押す。
あるいは、添付の表示をゴミ箱にドラッグアンドドロップする。
【００６７】
カードを表示させた状態で、ツールバーの「添付」をクリックすると添付資料を表示させる小ウインドウが現れ、そこからテキスト、音楽、画像、動画等の添付資料を選択し、添付小ウインドウの「添付」をクリックすると、添付小ウインドウが閉じるとともに、選択した資料がカードに添付され、その表示がカード上に現れる。
添付小ウインドウの「取消」をクリックすると、何も添付されずに添付小ウインドウは閉じる。
添付後、添付したものを削除するには、添付の表示を選択して、キーボードの「ｄｅｌｅｔｅ」を押す。
あるいは、添付の表示をゴミ箱にドラッグアンドドロップする。
箱上面の「封」をクリックすると、箱の蓋を開くことができる。
または、箱を表示させた状態でツールバーの「封」をクリックすると、箱の蓋を開くことができる。
【００６８】
ツールバーの「モデル」をクリックすると、図２７に示されるように、モデル選択小ウインドウが表示され、そのモデル選択小ウインドウのモデルをドラッグアンドドロップして、箱の中に入れることができる。
モデル選択小ウインドウの「ダウンロード」をクリックすれば、モデルダウンロードサイトが表示され、ここにある各種モデルを選び、ドラッグアンドドロップで、個人用小ウインドウに移して「完了」をクリックすることにより、自分のパソコンに表示されるモデル選択小ウインドウに、各種モデルをダウンロードすることができる。
車のメーカーや販売会社が新車の立体モデルを箱に封入して、顧客に送れば、顧客はその立体モデルを画面上で、回転させたり、細部を拡大したりして見ることができる。
【００６９】
ツールバーの「封」をクリックすると、図２８に示されるように、カードが箱の中に入り、次に蓋が閉まる。
カードの「封」をクリックしても、カードが箱の中に入り、次に蓋が閉まる。
箱の蓋を閉じた状態で、箱の「封」をクリックすると再度蓋を開けることができる。
箱の蓋を閉じた状態で、ツールバーの「封」をクリックしても再度蓋を開けることができる。
この時、カードをクリックすると、カードは箱から出るので、書き込み、添付、修正ができる。
【００７０】
箱を表示させて、ツールバーの「切手」をクリックすると切手選択用の小ウインドウが現われる。
切手選択小ウインドウから切手を選んでクリックすると、その切手が箱に自動的に貼られる。
その状態で、切手選択小ウインドウの別の切手をクリックすると、箱の切手はその切手に変わる。
切手選択小ウインドウの「閉じる」をクリックすれば、切手選択小ウインドウは閉じる。
切手小ウインドウの「ダウンロード」をクリックすれば、図３８に示されるように、切手ダウンロードサイトが表示され、ここにある各種絵柄、模様、写真等の付いた切手を選び、ドラッグアンドドロップで、個人用小ウインドウに移して「完了」をクリックすることにより、自分のパソコンに表示される切手選択小ウインドウに、各種絵柄、模様、写真等の付いた切手をダウンロードすることができる。
【００７１】
箱を表示させ、ツールバーの「親展」をクリックすると、封筒上に「親展」の文字が表示される。
箱を表示させ、ツールバーの「印字」をクリックすると、印字を選択するメニューが現れる。
そのメニューのうちひとつをクリックすると、それが箱表面に表示される。
箱の送信準備の途中でツールバーの「保留」をクリックすると、箱の蓋が閉じた状態で、保留ＢＯＸに収納される。
保留にした箱は、閉じた状態で保留ＢＯＸから取り出し、蓋を開け、中からカードを取り出して、再び送信準備を続けることができる。
箱の送信準備の途中で、ツールバーの「削除」をクリックすると、確認のための小ウインドウが現れて、その確認小ウインドウの「削除する」をクリックすると、確認小ウインドウは閉じるとともに、表示されている箱及びカード、モデルは消去される。
確認小ウインドウの「削除しない」をクリックすると、確認小ウインドウは閉じ、箱及びカード、モデルはそのままである。
箱の送信準備作業を全て終えて、箱の蓋を閉じ、ツールバーの「送信」をクリックすると、その箱はインターネット回線により相手に送信され、同時に箱の表示は消える。
【００７２】
（５）メールの送信について説明する。
ツールバーの「メール」をクリックする。
図２９に示されるように、メール送信用フォーマットが表示される。
フォーマットには、宛先メールアドレス、件名、文章の記入欄がある。
フォーマットを表示させた状態でツールバーの「名簿」をクリックすると、宛先を選択するメニューが現れる。
そのメニューのうち個人名をクリックすると、その個人のメールアドレスが自動的にメールアドレス欄に記入される。
フォーマットを表示させた状態でツールバーの「名簿」をクリックすると、宛先を選択するメニューが現れる。
そのメニューのうちひとつのグループ名をクリックすると、そのグループの一覧表が表示され、そのグループの各個人のメールアドレスが自動的に封筒表面の宛名欄、メールアドレス欄に記入され、同じ内容のメールがグループの全員に発信されようになる。
この一覧表は「閉じる」ボタンをクリックすると閉じる。
フォーマットの文章記入欄に、文章を記入する。
この時、ツールバーの「文字」をクリックすると、文字の設定用小ウインドウが表示され、それにより文字の書体、文字のサイズ、字間、行間、文字の色を設定することができる。
この文字設定小ウインドウの「取消」ボタンをクリックすると、何も設定されずに文字設定小ウインドウは閉じる。
【００７３】
フォーマットを表示させた状態で、ツールバーの「録音」をクリックすると録音用の小ウインドウが表示される。
録音小ウインドウの「開始」をクリックすると、録音が開始されるので、マイクに向かって手紙の文章を読むなどして、自分の声を録音したり、その他好きなものを録音できる。
録音小ウインドウの「終了」をクリックすると、録音が終了する。
録音小ウインドウの「添付」をクリックすると、録音小ウインドウが閉じるとともに、録音内容が便箋に添付され、その表示が便箋上に現れる。
録音小ウインドウの「取消」をクリックすると、何も録音されずに録音小ウインドウは閉じる。
添付後、添付したものを削除するには、添付の表示を選択して、キーボードの「ｄｅｌｅｔｅ」を押す。
あるいは、添付の表示をゴミ箱にドラッグアンドドロップする。
フォーマットを表示させた状態で、ツールバーの「添付」をクリックすると添付資料を表示させる小ウインドウが現れ、そこからテキスト、音楽、画像、動画等の添付資料を選択し、添付小ウインドウの「添付」をクリックすると、添付小ウインドウが閉じるとともに、選択した資料が便箋に添付され、その表示が便箋上に現れる。
添付小ウインドウの「取消」をクリックすると、何も添付されずに添付小ウインドウは閉じる。添付後、添付したものを削除するには、添付の表示を選択して、キーボードの「ｄｅｌｅｔｅ」を押す。
あるいは、添付の表示をゴミ箱にドラッグアンドドロップする。
メールを送る準備をしている途中でツールバーの「保留」をクリックすると、そのままの状態で、保留ＢＯＸに収納される。
保留にしたメールは保留ＢＯＸから取り出して表示させ、再び続きを書くことができる。
メールを送る準備をしている途中で、ツールバーの「削除」をクリックすると、確認のための小ウインドウが現れて、その確認小ウインドウの「削除する」をクリックすると、確認小ウインドウは閉じるとともに、表示されているフォーマットは消去される。
確認小ウインドウの「削除しない」をクリックすると、確認小ウインドウは閉じ、フォーマットはそのままである。
メールを送る準備作業を全て終えて、ツールバーの「送信」をクリックすると、そのメールはインターネット回線により相手に送信され、同時にメールの表示は消える。
【００７４】
「名簿」の登録と編集について説明する。
送信ツールバーの「名簿」をクリックすると、図３１に示されるように、メニューが現れ、そのうち「新規」をクリックすると次のメニューが現れ、そのうち「個人」をクリックして個人登録表を表示させ、そこに個人の氏名とそのメールアドレスを記入し、「閉じる」をクリックすれば、個人の氏名とメールアドレスが登録され、個人登録表は閉じる。
個人登録表の「取消」をクリックすれば、個人登録小ウインドウは閉じ、何も登録されない。
送信ツールバーの「名簿」をクリックすると、図３２に示されるように、メニューが現れ、そのうち「新規」をクリックすると次のメニューが現れ、そのうち「グループ」をクリックしてグループ登録表を表示させ、そこにグループ名、及び成員の氏名とそのメールアドレスを記入し、「閉じる」をクリックすれば、グループが登録され、グループ登録表は閉じる。グループ登録表の「増加」をクリックすれば、成員の記入欄を増やすことができる。
グループ登録表の「取消」をクリックすれば、グループ登録表は閉じ、何も登録されない。
送信ツールバーの「名簿」をクリックすると、図３３に示されるように、メニューが現れ、そのうち「編集」をクリックすると次のメニューが現れ、そのうち「個人」をクリックして個人名簿を表示させ、個人の氏名とそのメールアドレスを編集、あるいは削除して「閉じる」ボタンで完了し、個人名簿は閉じる。
個人名簿の「取消」をクリックすれば、個人名簿は閉じ、何も変更されない。
送信ツールバーの「名簿」をクリックすると、図３４に示されるように、メニューが現れ、そのうち「編集」をクリックすると次のメニューが現れ、そのうち「グループ」をクリックすると更に次のメニューが現れ、そのうちのグループ名をクリックして、グループ名簿を表示させ、グループ名、及び成員の氏名とそのメールアドレスを編集、あるいは追加、削除して「閉じる」ボタンで完了し、グループ名簿は閉じる。
グループ名簿の「増加」をクリックすれば、成員の記入欄を増やすことができる。
グループ名簿の「取消」をクリックすれば、グループ名簿は閉じ、何も変更されない。
【００７５】
送信ツールバーの「印字」をクリックすると、図３５に示されるように、メニューが現れ、そのうち「新規」をクリックすると印字新規登録の小ウインドウが表示される。
この印字新規登録小ウインドウに、新規印字を記入し、書体、サイズ、色、枠を設定して「閉じる」をクリックすれば、新規印字が登録され、印字新規登録小ウインドウは閉じる。
印字新規登録小ウインドウの「取消」をクリックすれば、印字新規登録小ウインドウは閉じ、何も登録されない。
送信ツールバーの「印字」をクリックすると、図３６に示されるように、メニューが現れ、そのうち「編集」をクリックすると次のメニューが現れ、そのうち編集したい項目をクリックすると、その項目の編集小ウインドウが表示される。
この編集小ウインドウで編集設定をして「閉じる」ボタンで完了し、編集小ウインドウは閉じる。
編集小ウインドウの「取消」をクリックすれば、編集小ウインドウは閉じ、何も変更されない。
送信ツールバーが表示されているとき、ツールバーの「受信画面」をクリックすると、受信ツールバーが表示される。
【００７６】
（６）受信について、説明する。
メールソフトを起動して、手紙、はがき、カード及び箱等が受信されたときには、図４１に示されるように、それが画面上に表示される。
受信した封筒、はがき、箱には、貼られている切手に重なって、消印が表示されている。
複数の受信がある場合は、図３９に示されるように、封筒、はがき、箱がずれて、その重なり具合が表示される。
【００７７】
（７）手紙受信について、説明する。
受信した手紙は、図４１に示されるように、封筒の表面が表示される。
裏に記入欄のある封筒の場合は、表面の「裏」をクリックすると、図４２に示されるように、裏面が表示される。
封筒の裏面の「表」をクリックすると、表面が表示される。
便箋の入った封筒を表示させた状態で、封筒の「封」をクリックすると、図４３に示されるように、中の便箋が表示される
表示された便箋の「封」をクリックすると、便箋は再封入される。
便箋を表示させた状態で、その下に隠れている封筒をクリックすると、封筒が前面に表示される。
この状態で封筒の「封」をクリックすると便箋が封筒に再封入される。
便箋の入った封筒を表示させた状態で、ツールバーの「封」をクリックすると、便箋が表示される。
便箋を表示させた状態で、ツールバーの「封」をクリックすると、便箋は再封入される。
便箋を表示させ、その文章を読むとともに、添付の表示がある場合、それをクリックして、音声データならそれを聞き、画像や映像データならそれを見ることができる。
封筒に親展の印字がある場合には、封筒やツールバーの「封」をクリックすると、図４０に示されるように、ＩＤとパスワードを確認する小ウインドウが表示され、正しいＩＤとパスワードを記入して「開封」をクリックすると、その確認小ウインドウが消えるとともに、封筒が開封されて中の便箋が表示される。
確認小ウインドウの「取消」をクリックすると、確認小ウインドウは消えて元の状態に戻る。
便箋が複数枚ある時には、図４３に示されるように、便箋がずれて、その重なり具合が表示される。
そして、便箋の下部に矢印が表示され、それをクリックすると、次のページが表示される。
便箋が複数枚ある時には、図４４に示されるように、二枚目以降の便箋の上部に矢印が表示され、それをクリックすると、前のページが表示される。
図４５に示されるように、便箋の最後のページの下部矢印をクリックすると先頭に戻って便箋の１ページ目が表示される
【００７８】
便箋と封筒を表示させた状態でツールバーの「印刷」をクリックすると、便箋及び封筒を印刷することができる。
この場合、図４６に示されるように、ツールバーの「設定」をクリックすると設定メニューが表示される。そのうちの「印刷」をクリックすると印刷設定小ウインドウが表示される。
この印刷設定小ウインドウで、「封筒も印刷する」にチェックすると、便箋と共に、封筒の印刷をすることができる。
また、この印刷設定小ウインドウで印刷品位の設定をすることができる。
このメールソフトで送受信されるデータの解像度は７２ｄｐｉであり、そのまま印刷するとその解像度で印刷される。
印刷設定小ウインドウで「高品位印刷」にチェックすると、「印刷」をクリックした時、ダウンロードサイトにおかれた３００ｄｐｉ以上の高解像度のデータをダウンロードすることにより、高品位の印刷を行うことができる。
この設定メニューでは他に文字、メールの振り分け、メールサーバー、個人情報等の設定を行うことができる。
【００７９】
図４７に示されるように、封筒は展開図で印刷され、それを切って糊代部分に糊を付けることにより、開封前の封筒の形に作ることができる。その中に印刷した便箋を封入して、保存することができ、中の便箋を取り出すときは、封を切って取り出す。
図４８に示されるように、封筒は展開図で印刷され、それを切って糊代部分に糊を付けることにより、開封された封筒の形に作ることができる。その中に印刷した便箋を入れて保存することができ、開封した状態なので、いつでも便箋を取り出すことができる。
封筒を表示させて、封筒の「収納」をクリックすることにより、手紙の表示を終了する。
また、封筒を表示させて、ツールバーの「収納」をクリックすることにより、手紙の表示を終了する。
【００８０】
ツールバーの「ＢＯＸ」をクリックすると、図４９に示されるように、メールボックス小ウインドウが表示される。
その中のひとつのフォルダを選択し、それをクリックすれば、その内容が表示され、そこに収納されているメールを確認することができる。
その中からどれでもひとつをクリックすれば、それを表示させ内容を読むことができる。
図５０に示されるように、メールボックス小ウインドウのフォルダを選択し、それをクリックしてその中身を表示させ、その中のメールをクリックして選択した状態で、ツールバーの「移動」をクリックするとメールボックスのフォルダのメニューが表示されるので、その中のひとつのフォルダをクリックすると、選択したメールはそのフォルダに移動する。
また、メールボックス小ウインドウのフォルダを選択し、それをクリックしてその内容を表示させ、その中のメールをドラッグアンドドロップで、メールボックス小ウインドウの別のフォルダに入れることによってメールを移動することができる。
受信した封筒を表示させてツールバーの「返信」をクリックすると、図５１に示されるように、返信用の封筒が表示され、その宛名に受信した封筒の差出人の氏名とメールアドレスが自動的に記入される。
これは上書き可能である。
また、差し出し人名と差し出し人メールアドレスは、設定メニューで設定した差出人の名前とメールアドレスが自動的に記入される。
これは上書き可能である。
【００８１】
この状態でツールバーの「意匠」をクリックすると、各種絵柄、模様、写真等の付いた便箋を選択する小ウインドウが現れる。
便箋選択小ウインドウのひとつの便箋をクリックすると、その絵柄、模様、写真等の付いた便箋が表示される。
それに応じて、封筒も便箋と対の絵柄、模様、写真等の付いたものになる。
この時表示された便箋には、差出人が便箋に書いた内容がテキストデータとして添付される。
受信した封筒を表示させてツールバーの「削除」をクリックすると、図５２に示されるように、確認のための小ウインドウが現れ、「削除する」をクリックすると、確認小ウインドウは閉じるとともに、表示されている封筒は消去される。
確認小ウインドウの「削除しない」をクリックすると、確認小ウインドウは閉じ、封筒はそのままである。
ツールバーの「削除」をクリックすると、確認のための小ウインドウは現れずに、直接表示されている封筒が消去されるようにすることもできる。
【００８２】
（８）はがきの受信について、説明する。
図５３に示されるように、受信したはがきは表面が表示される。
はがき表面の「裏」をクリックすると、図５４に示されるように、裏面が表示される。
はがき裏面の「表」をクリックすると、表面が表示される。
はがき裏面を表示させ、その文章を読むとともに、添付の表示がある場合、それをクリックして、音声データならそれを聞き、画像や映像データならそれを見ることができる。
【００８３】
はがきを表示させた状態でツールバーの「印刷」をクリックすると、はがきの表と裏を印刷することができる。
この場合、ツールバーの「設定」をクリックすると設定メニューが表示される。そのうちの「印刷」をクリックすると印刷設定小ウインドウが表示される。
この印刷設定小ウインドウで印刷品位の設定をすることができる。
このメールソフトで送受信されるデータの解像度は７２ｄｐｉであり、そのまま印刷するとその解像度で印刷される。
印刷設定小ウインドウで「高品位印刷」にチェックすると、「印刷」をクリックした時、ダウンロードサイトにおかれた３００ｄｐｉ以上の高解像度のデータをダウンロードすることにより、高品位の印刷を行うことができる。
この設定メニューでは他に文字、メールの振り分け、メールサーバー、個人情報等の設定を行うことができる。
【００８４】
はがき表面を表示させて、「収納」をクリックすることにより、はがきの表示を終了する。
また、はがきを表示させて、ツールバーの「収納」をクリックすることにより、はがきの表示を終了する。
受信したはがきを表示させてツールバーの「返信」をクリックすると、返信用のはがきが表示され、その宛名に受信したはがきの差出人の氏名とメールアドレスが自動的に記入される。
これは上書き可能である。
また、差し出し人名と差し出し人メールアドレスは、設定メニューで設定した差出人の名前とメールアドレスが自動的に記入される。
これは上書き可能である。
【００８５】
この状態でツールバーの「意匠」をクリックすると、各種絵柄、模様、写真等の付いたはがきを選択する小ウインドウが現れる。
はがき選択小ウインドウのひとつのはがきをクリックすると、その絵柄、模様、写真等の付いたはがきが表示される。
それに応じて、表面も裏面と対の絵柄、模様、写真等の付いたものになる。
この時表示されたはがきには、差出人がはがきに書いた内容がテキストデータとして添付される。
受信したはがきを表示させてツールバーの「削除」をクリックすると、確認のための小ウインドウが現れ、「削除する」をクリックすると、確認小ウインドウは閉じるとともに、表示されているはがきは消去される。
確認小ウインドウの「削除しない」をクリックすると、確認小ウインドウは閉じ、はがきはそのままである。
ツールバーの「削除」をクリックすると、確認のための小ウインドウは現れずに、直接表示されているはがきが消去されるようにすることもできる。
【００８６】
（９）カードの受信について、説明する。
図５５に示されるように、受信した手紙は封筒の表面が表示される。
裏に記入欄のある封筒の場合は、表面「裏」をクリックすると、裏面が表示される。
封筒の裏面の「表」をクリックすると、表面が表示される。
カードの入った封筒を表示させた状態で、封筒の「封」をクリックすると、図５６に示されるように、中のカードが表示される。
表示されたカードの「封」をクリックすると、カードは再封入される。
カードを表示させた状態で、その下に隠れている封筒をクリックすると、封筒が前面に表示される。
この状態で封筒の「封」をクリックするとカードが封筒に再封入される。
カードの入った封筒を表示させた状態で、ツールバーの「封」をクリックすると、カードが表示される。
カードを表示させた状態で、ツールバーの「封」をクリックすると、カードは再封入される。
カードを表示させ、その文章を読むとともに、添付の表示がある場合、それをクリックして、音声データならそれを聞き、画像や映像データならそれを見ることができる。
【００８７】
封筒に親展の印字がある場合には、封筒やツールバーの「封」をクリックするとＩＤとパスワードを確認する小ウインドウが表示され、正しいＩＤとパスワードを記入して「開封」をクリックすると、その確認小ウインドウが消えるとともに、封筒が開封されて中のカードが表示される。
確認小ウインドウの「取消」をクリックすると、確認小ウインドウは消えて元の状態に戻る。
カードと封筒を表示させた状態でツールバーの「印刷」をクリックすると、カード及び封筒を印刷することができる。
この場合、ツールバーの「設定」をクリックすると設定メニューが表示される。そのうちの「印刷」をクリックすると印刷設定小ウインドウが表示される。
この印刷設定小ウインドウで、「封筒も印刷する」にチェックすると、カードと共に、封筒の印刷をすることができる。また、この印刷設定小ウインドウで印刷品位の設定をすることができる。
このメールソフトで送受信されるデータの解像度は７２ｄｐｉであり、そのまま印刷するとその解像度で印刷される。
印刷設定小ウインドウで「高品位印刷」にチェックすると、「印刷」をクリックした時、ダウンロードサイトにおかれた３００ｄｐｉ以上の高解像度のデータをダウンロードすることにより、高品位の印刷を行うことができる。
この設定メニューでは他に文字、メールの振り分け、メールサーバー、個人情報等の設定を行うことができる。
【００８８】
封筒は展開図の状態で印刷され、それを切って糊代部分に糊を付けすることにより、開封前の封筒の形状に作ることができる。
作った封筒に印刷したカードを入れて保存することができる。
封筒を表示させて、封筒の「収納」をクリックすることにより、表示の表示を終了する。
また、封筒を表示させて、ツールバーの「収納」をクリックすることにより、カードの表示を終了する。
受信した封筒を表示させてツールバーの「返信」をクリックすると、返信用の封筒が表示され、その宛名に受信した封筒の差出人の氏名とメールアドレスが自動的に記入される。
これは上書き可能である。
また、差出人名と差出人メールアドレスは、設定メニューで設定した差出人の名前とメールアドレスが自動的に記入される。
これは上書き可能である。
【００８９】
この状態でツールバーの「意匠」をクリックすると、各種絵柄、模様、写真等の付いたカードを選択する小ウインドウが現れる。
カード選択小ウインドウのひとつのカードをクリックすると、その絵柄、模様、写真等の付いたカードが表示される。
それに応じて、封筒もカードと対の絵柄、模様、写真等の付いたものになる。
この時表示されたカードには、差出人がカードに書いた内容がテキストデータとして添付される。
受信した封筒を表示させてツールバーの「削除」をクリックすると、確認のための小ウインドウが現れ、「削除する」をクリックすると、確認小ウインドウは閉じるとともに、表示されている封筒は消去される。
確認小ウインドウの「削除しない」をクリックすると、確認小ウインドウは閉じ、封筒はそのままである。
ツールバーの「削除」をクリックすると、確認のための小ウインドウは現れずに、直接表示されている封筒が消去されるようにすることもできる。
【００９０】
（１０）箱の受信について、説明する。
図５７に示されるように、受信した箱は上面が表示される。
箱の「封」をクリックすると、図５８に示されるように、上部の蓋が開く。
ツールバーの「封」をクリックしても、上部の蓋が開く。
箱の中のカードをクリックすると、図５９に示されるように、カードは箱から出て、手前に大きく表示され、記入してある内容を読むことができるとともに、添付の表示がある場合、それをクリックして、音声データならそれを聞き、画像や映像データならそれを見ることができる。
箱の中のモデルをクリックアンドドラッグして取り出すことができる。
また、それを回転させて、あらゆる方向から見ることができるようにすることもできる。
カードの「封」をクリックすると、モデルは箱に戻り、カードも箱に戻る。
この時、ツールバーの「封」をクリックすると、箱の上部蓋が閉じる。
箱に親展の印字がある場合には、箱やツールバーの「封」をクリックするとＩＤとパスワードを確認する小ウインドウが表示され、正しいＩＤとパスワードを記入して「開封」をクリックすると、確認小ウインドウが消えるとともに、箱の上部蓋が開く。
確認小ウインドウの「取消」をクリックすると、確認小ウインドウは消えて元の状態に戻る。
【００９１】
箱の上部蓋を開き、カードを表示させた状態でツールバーの「印刷」をクリックすると、カードとモデルを印刷することができる。
【００９２】
この場合、ツールバーの「設定」をクリックすると設定メニューが表示される。そのうちの「印刷」をクリックすると印刷設定小ウインドウが表示される。
この印刷設定小ウインドウで印刷品位の設定をすることができる。
このメールソフトで送受信されるデータの解像度は７２ｄｐｉであり、そのまま印刷するとその解像度で印刷される。
印刷設定小ウインドウで「高品位印刷」をチェックすると、「印刷」をクリックした時、ダウンロードサイトにおかれた３００ｄｐｉ以上の高解像度のデータをダウンロードすることにより、高品位の印刷を行うことが可能となる。
この設定メニューでは、他に文字、メールの振り分け、メールサーバー、個人情報等の設定を行うことができる。
箱を表示させて、箱の「収納」をクリックすることにより、箱の表示を終了する。
また、箱を表示させて、ツールバーの「収納」をクリックすることにより、箱の表示を終了する。
【００９３】
受信した箱を表示させてツールバーの「返信」をクリックすると、返信用の箱が表示され、その宛名に受信した封筒の差出人の氏名とメールアドレスが自動的に記入される。
これは上書き可能である。
また、差出人名と差出人メールアドレスは、設定メニューで設定した差出人の名前とメールアドレスが自動的に記入される。
これは上書き可能である。
【００９４】
箱を表示させた状態でツールバーの「意匠」をクリックすると、各種箱のサイズと各種リボン、絵柄、模様、写真等を選択する箱選択小ウインドウが現れる。
この箱選択小ウインドウは「閉じる」ボタンをクリックすると閉じる。
箱選択小ウインドウの、各種箱のサイズと各種リボン、絵柄、模様、写真等をクリックすると、その各種サイズと各種リボン、絵柄、模様、写真等の箱が表示される。
それに応じて、同じ絵柄、模様、写真等の付いたカードが表示される。
この時表示されたカードには、差出人がカードに書いた内容がテキストデータとして添付される。
受信した箱を表示させてツールバーの「削除」をクリックすると、確認のための小ウインドウが現れ、確認小ウインドウの「削除する」をクリックすると、確認小ウインドウは閉じるとともに、表示されている箱は消去される。
確認小ウインドウの「削除しない」をクリックすると、確認小ウインドウは閉じ、表示された箱はそのままである。
ツールバーの「削除」をクリックすると、確認のための小ウインドウは現れずに、直接表示されている箱が消去されるようにすることもできる。
【００９５】
（１１）メールの受信について、説明する。
ツールバーの「ＢＯＸ」をクリックすると、図６０に示されるように、メールボックス小ウインドウが表示される。
その中のひとつのフォルダを選択し、それをクリックすれば、その内容が表示され、そこに収納されているメールを確認することができる。
その中からどれでもひとつをクリックすれば、それを表示させ内容を読むことができる。
その時、そのメールがテキストデータのメールの場合は、通常の形式で表示される。
【００９６】
第２クライアントにおける受取は、パソコンについて説明したが、受取人は、携帯端末、携帯電話、タプレツトＰＣ等から受取り、表示させることができる。
【００９７】
受け取りフォームは、電子封筒、電子便箋、電子はがき、電子カード等はプリンターで印刷することができる。
【００９８】
この場合において、電子封筒は展開した状態で印刷し、それを切り込み、糊代を貼り合わせるなどして受取人側で封筒を作成し、便箋を挿入することができる。
【００９９】
受信側においては、伝達される情報をＰＣ等上で見るだけでも充分であり、必ずしも印刷する必要はない。また印刷する場合にも、その鮮明さを要求される場合には、上述したように、必要によっては、３００ｄｐｉ以上が必要となる。
【０１００】
送信側においても、携帯端末、携帯電話、タプレツトＰＣ等であっても良いことは、勿論である。
【産業上の利用可能性】
【０１０１】
本発明に係るシステムは以上のように構成されているので、無味乾燥で読みにくい、事務的な電子メールシステムを大きく変え、これまでは余り考慮されなかった送り手の気持ちや感情などをより正確に、人間味豊かに伝えることが可能となる。
さらに、多様なデザインされた電子便箋、電子はがき、電子絵はがき、電子カード、電子封筒、電子切手、電子箱等を用意し、それを全世界の人達に流通させることにより、デザイン力の向上、種々の発表の場の提供、コンテンツの充実、そしてそれらの流通による経済の活性化を計るなど、大きく貢献することができる。
【図面の簡単な説明】
【０１０２】
【図１】横型封筒の記入画面
【図２】縦型封筒の記入画面
【図３】裏面有り横型封筒の記入画面
【図４】裏面有り横型封筒の裏面記入画面
【図５】裏面有り縦型封筒の記入画面
【図６】裏面有り縦型封筒の裏面記入画面
【図７】封筒の個人宛名記入画面
【図８】封筒のグループ宛名記入画面
【図９】便箋絵柄選択画面
【図１０】便箋１ページ目記入画面
【図１１】便箋２ページ目記入画面
【図１２】便箋削除画面
【図１３】録音添付画面
【図１４】画像添付画面
【図１５】便箋記入時封筒表示画面
【図１６】切手選択画面
【図１７】裏面有り横型封筒の記入済表面
【図１８】裏面有り横型封筒の記入済裏面
【図１９】親展表示画面
【図２０】印字表示画面
【図２１】はがき表面記入画面
【図２２】はがき絵柄選択画面
【図２３】カード封筒表面記入画面
【図２４】カード絵柄選択画面
【図２５】箱上面記入画面
【図２６】箱形リボン絵柄選択画面
【図２７】箱中身選択画面
【図２８】箱封入画面
【図２９】通常メール記入画面
【図３０】送信前手紙削除画面
【図３１】個人名名簿登録画面
【図３２】グループ名名簿登録画面
【図３３】個人名名簿編集画面
【図３４】グループ名名簿編集画面
【図３５】印字新規登録画面
【図３６】印字編集画面
【図３７】便箋ダウンロード画面
【図３８】切手ダウンロード画面
【図３９】受信時の画面
【図４０】親展開封時の画面
【図４１】裏面有り封筒の受信画面
【図４２】受信した裏面有り封筒の裏面
【図４３】開封時の便箋１ページ目
【図４４】開封時の便箋２ページ目
【図４５】開封時の便箋３ページ目
【図４６】印刷設定の画面
【図４７】開封前封筒の印刷画面
【図４８】開封後封筒の印刷画面
【図４９】ＢＯＸからメールを表示させた画面
【図５０】メールの移動を示した画面
【図５１】封筒の返信画面
【図５２】受信した手紙の削除画面
【図５３】はがきの受信画面
【図５４】受信したはがきの裏面
【図５５】カードの受信画面
【図５６】開封時のカードを表示させた画面
【図５７】箱の受信画面
【図５８】蓋を開けた箱を表示させた画面
【図５９】箱から中身を取り出したところの画面
【図６０】通常メールの表示画面
【図１】
2005057604.tif 000003
【図２】
2005057604.tif 000004
【図３】
2005057604.tif 000005
【図４】
2005057604.tif 000006
【図５】
2005057604.tif 000007
【図６】
2005057604.tif 000008
【図７】
2005057604.tif 000009
【図８】
2005057604.tif 000010
【図９】
2005057604.tif 000011
【図１０】
2005057604.tif 000012
【図１１】
2005057604.tif 000013
【図１２】
2005057604.tif 000014
【図１３】
2005057604.tif 000015
【図１４】
2005057604.tif 000016
【図１５】
2005057604.tif 000017
【図１６】
2005057604.tif 000018
【図１７】
2005057604.tif 000019
【図１８】
2005057604.tif 000020
【図１９】
2005057604.tif 000021
【図２０】
2005057604.tif 000022
【図２１】
2005057604.tif 000023
【図２２】
2005057604.tif 000024
【図２３】
2005057604.tif 000025
【図２４】
2005057604.tif 000026
【図２５】
2005057604.tif 000027
【図２６】
2005057604.tif 000028
【図２７】
2005057604.tif 000029
【図２８】
2005057604.tif 000030
【図２９】
2005057604.tif 000031
【図３０】
2005057604.tif 000032
【図３１】
2005057604.tif 000033
【図３２】
2005057604.tif 000034
【図３３】
2005057604.tif 000035
【図３４】
2005057604.tif 000036
【図３５】
2005057604.tif 000037
【図３６】
2005057604.tif 000038
【図３７】
2005057604.tif 000039
【図３８】
2005057604.tif 000040
【図３９】
2005057604.tif 000041
【図４０】
2005057604.tif 000042
【図４１】
2005057604.tif 000043
【図４２】
2005057604.tif 000044
【図４３】
2005057604.tif 000045
【図４４】
2005057604.tif 000046
【図４５】
2005057604.tif 000047
【図４６】
2005057604.tif 000048
【図４７】
2005057604.tif 000049
【図４８】
2005057604.tif 000050
【図４９】
2005057604.tif 000051
【図５０】
2005057604.tif 000052
【図５１】
2005057604.tif 000053
【図５２】
2005057604.tif 000054
【図５３】
2005057604.tif 000055
【図５４】
2005057604.tif 000056
【図５５】
2005057604.tif 000057
【図５６】
2005057604.tif 000058
【図５７】
2005057604.tif 000059
【図５８】
2005057604.tif 000060
【図５９】
2005057604.tif 000061
【図６０】
2005057604.tif 000062